(57)【要約】  ワイヤレス通信のためのデューティサイクル方式が、３つ以上のデューティサイクルレベルを採用する。いくつかの態様では、ワイヤレスデバイスは、第１のデューティサイクルに関連するアクティブ状態では信号を断続的に走査し、第２のデューティサイクルに関連する周期的状態の間は信号を周期的に走査し、第３のデューティサイクルに関連する待機状態の間は信号を周期的に走査することができる。ここで、第２のデューティサイクルは第１のデューティサイクルよりも低く、第３のデューティサイクルは第２のデューティサイクルよりも低いとすることができる。いくつかの態様では、異なる状態のタイミングを相関させることができる。いくつかの態様では、システム中の各ワイヤレスがそのデューティサイクル状態を独立して制御することができる。
2011519536.tif 000002
【特許請求の範囲】
【請求項１】
ワイヤレス通信の方法であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を備える方法。
【請求項２】
前記第１の動作状態がアクティブ状態を備え、前記第２の動作状態が周期的状態を備え、前記第３の動作状態が待機状態を備える、請求項１に記載の方法。
【請求項３】
前記第２のデューティサイクルに応じた前記チャネル走査が、第１の時間間隔に基づく時間に周期的に走査することを備え、
前記第３のデューティサイクルに応じた前記チャネル走査が、第２の時間間隔に基づく時間に周期的に走査することを備え、
前記第２の時間間隔が前記第１の時間間隔よりも長い
請求項１に記載の方法。
【請求項４】
前記第１のデューティサイクルに応じた前記チャネル走査が、前記チャネルを連続的に走査することを備える、請求項３に記載の方法。
【請求項５】
前記第１のデューティサイクルに応じた前記チャネル走査が、第３の時間間隔に基づく時間に周期的に走査することを備え、
前記第３の時間間隔が前記第１の時間間隔よりも短い
請求項３に記載の方法。
【請求項６】
前記第３の時間間隔が、非同期パケットのプリアンブルをキャプチャするのに十分高い走査レートに対応する、請求項５に記載の方法。
【請求項７】
前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、請求項５に記載の方法。
【請求項８】
第１のタイムアウト期間中に信号が受信されなかった場合、前記第１の動作状態から前記第２の動作状態に遷移することと、
第２のタイムアウト期間中に信号が受信されなかった場合、前記第２の動作状態から前記第３の動作状態に遷移することと
をさらに備える、請求項１に記載の方法。
【請求項９】
各信号が、パケット、データパケット、ページングメッセージ、発見メッセージ、または制御メッセージを備える、請求項８に記載の方法。
【請求項１０】
連続チャネル走査の第１の定義された量の間に信号が受信されなかった場合、前記第１の動作状態から前記第２の動作状態に遷移することと、
連続チャネル走査の第２の定義された量の間に信号が受信されなかった場合、前記第２の動作状態から前記第３の動作状態に遷移することと
をさらに備える、請求項１に記載の方法。
【請求項１１】
各信号が、パケット、データパケット、ページングメッセージ、発見メッセージ、または制御メッセージを備える、請求項１０に記載の方法。
【請求項１２】
信号が受信された場合、前記第３の動作状態から前記第１の動作状態に遷移することと、
信号が受信された場合、前記第２の動作状態から前記第１の動作状態に遷移することと
をさらに備える、請求項１に記載の方法。
【請求項１３】
各信号が、パケット、データパケット、ページングメッセージ、発見メッセージ、または制御メッセージを備える、請求項１２に記載の方法。
【請求項１４】
前記第３の動作状態の間の前記走査の周期的タイミングを、前記第２の動作状態の間の前記走査の周期的タイミングと相関させることをさらに備える、請求項１に記載の方法。
【請求項１５】
前記第３の動作状態の間の前記走査の前記周期的タイミングと、前記第２の動作状態の間の前記走査の前記周期的タイミングとが、共通のタイミングオフセットに基づく、請求項１４に記載の方法。
【請求項１６】
前記チャネル走査のいずれかの間に信号が受信された場合、応答信号を送信することをさらに備え、前記応答信号が、肯定応答メッセージ、またはページングメッセージに対する応答を備える、請求項１に記載の方法。
【請求項１７】
ページングメッセージを受信することと、
前記ページングメッセージに対する応答を送信することとをさらに備え、前記応答の前記送信のタイミングが、前記第２の動作状態、前記第３の動作状態、または前記第２および第３の動作状態の間の前記走査のタイミングの指示を与える
請求項１に記載の方法。
【請求項１８】
ページングメッセージを受信することと、
前記ページングメッセージに対する応答を送信することとをさらに備え、前記応答が、前記第２の動作状態、前記第３の動作状態、または前記第２および第３の動作状態の間の前記走査のタイミングの指示を含む
請求項１に記載の方法。
【請求項１９】
定義された時間期間内に複数のノードからページングメッセージを受信することと、
前記ページングメッセージに対して単一の応答を送信することと
をさらに備える、請求項１に記載の方法。
【請求項２０】
前記単一の応答の前記送信が、前記複数のノードに共通であるチャネルを介して前記単一の応答をブロードキャストすることを備える、請求項１９に記載の方法。
【請求項２１】
前記単一の応答のプリアンブルの長さが、前記複数のノードに関連する相対走査期間時間に基づく、請求項１９に記載の方法。
【請求項２２】
前記第１のデューティサイクル、前記第２のデューティサイクル、または前記第３のデューティサイクルのうちの少なくとも１つが、ノードタイプに基づく、請求項１に記載の方法。
【請求項２３】
ワイヤレス通信のための装置であって、
第１の動作状態と第２の動作状態と第３の動作状態との間の遷移を制御するように構成された状態コントローラと、
前記第１の動作状態の間に第１のデューティサイクルに応じてチャネルを走査することと、
前記第２の動作状態の間に第２のデューティサイクルに応じて前記チャネルを走査することであって、前記第２のデューティサイクルが前記第１のデューティサイクルよりも低い、走査することと、
前記第３の動作状態の間に第３のデューティサイクルに応じて前記チャネルを走査することであって、前記第３のデューティサイクルが前記第２のデューティサイクルよりも低い、走査することと
を行うように構成された受信機と
を備える装置。
【請求項２４】
前記第１の動作状態がアクティブ状態を備え、前記第２の動作状態が周期的状態を備え、前記第３の動作状態が待機状態を備える、請求項２３に記載の装置。
【請求項２５】
前記第２のデューティサイクルに応じた前記チャネル走査が、第１の時間間隔に基づく時間に周期的に走査することを備え、
前記第３のデューティサイクルに応じた前記チャネル走査が、第２の時間間隔に基づく時間に周期的に走査することを備え、
前記第２の時間間隔が前記第１の時間間隔よりも長い
請求項２３に記載の装置。
【請求項２６】
前記第１のデューティサイクルに応じた前記チャネル走査が、前記チャネルを連続的に走査することを備える、請求項２５に記載の装置。
【請求項２７】
前記第１のデューティサイクルに応じた前記チャネル走査が、第３の時間間隔に基づく時間に周期的に走査することを備え、
前記第３の時間間隔が前記第１の時間間隔よりも短い
請求項２５に記載の装置。
【請求項２８】
前記第３の時間間隔が、非同期パケットのプリアンブルをキャプチャするのに十分高い走査レートに対応する、請求項２７に記載の装置。
【請求項２９】
前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、請求項２７に記載の装置。
【請求項３０】
前記状態コントローラが、
第１のタイムアウト期間中に信号が受信されなかった場合、前記第１の動作状態から前記第２の動作状態に遷移することと、
第２のタイムアウト期間中に信号が受信されなかった場合、前記第２の動作状態から前記第３の動作状態に遷移することと
を行うようにさらに構成された、請求項２３に記載の装置。
【請求項３１】
各信号が、パケット、データパケット、ページングメッセージ、発見メッセージ、または制御メッセージを備える、請求項３０に記載の装置。
【請求項３２】
前記状態コントローラが、
連続チャネル走査の第１の定義された量の間に信号が受信されなかった場合、前記第１の動作状態から前記第２の動作状態に遷移することと、
連続チャネル走査の第２の定義された量の間に信号が受信されなかった場合、前記第２の動作状態から前記第３の動作状態に遷移することと
を行うようにさらに構成された、請求項２３に記載の装置。
【請求項３３】
各信号が、パケット、データパケット、ページングメッセージ、発見メッセージ、または制御メッセージを備える、請求項３２に記載の装置。
【請求項３４】
前記状態コントローラが、
信号が受信された場合、前記第３の動作状態から前記第１の動作状態に遷移することと、
信号が受信された場合、前記第２の動作状態から前記第１の動作状態に遷移することと
を行うようにさらに構成された、請求項２３に記載の装置。
【請求項３５】
各信号が、パケット、データパケット、ページングメッセージ、発見メッセージ、または制御メッセージを備える、請求項３４に記載の装置。
【請求項３６】
前記第３の動作状態の間の前記走査の周期的タイミングを、前記第２の動作状態の間の前記走査の周期的タイミングと相関させるように構成されたタイミングコントローラをさらに備える、請求項２３に記載の装置。
【請求項３７】
前記第３の動作状態の間の前記走査の前記周期的タイミングと、前記第２の動作状態の間の前記走査の前記周期的タイミングとが、共通のタイミングオフセットに基づく、請求項３６に記載の装置。
【請求項３８】
前記チャネル走査のいずれかの間に前記受信機によって信号が受信された場合、応答信号を送信するように構成された送信機をさらに備え、前記応答信号が、肯定応答メッセージ、またはページングメッセージに対する応答を備える、請求項２３に記載の装置。
【請求項３９】
前記受信機が、ページングメッセージを受信するようにさらに構成され、
前記装置が、前記ページングメッセージに対する応答を送信するように構成された送信機をさらに備え、前記応答の前記送信のタイミングが、前記第２の動作状態、前記第３の動作状態、または前記第２および第３の動作状態の間の前記走査のタイミングの指示を与える
請求項２３に記載の装置。
【請求項４０】
前記受信機が、ページングメッセージを受信するようにさらに構成され、
前記装置が、前記ページングメッセージに対する応答を送信するように構成された送信機をさらに備え、前記応答が、前記第２の動作状態、前記第３の動作状態、または前記第２および第３の動作状態の間の前記走査のタイミングの指示を含む
請求項２３に記載の装置。
【請求項４１】
前記受信機が、定義された時間期間内に複数のノードからページングメッセージを受信するようにさらに構成され、
前記装置が、前記ページングメッセージに対して単一の応答を送信するように構成された送信機をさらに備える
請求項２３に記載の装置。
【請求項４２】
前記単一の応答の前記送信が、前記複数のノードに共通であるチャネルを介して前記単一の応答をブロードキャストすることを備える、請求項４１に記載の装置。
【請求項４３】
前記単一の応答のプリアンブルの長さが、前記複数のノードに関連する相対走査期間時間に基づく、請求項４１に記載の装置。
【請求項４４】
前記第１のデューティサイクル、前記第２のデューティサイクル、または前記第３のデューティサイクルのうちの少なくとも１つが、ノードタイプに基づく、請求項２３に記載の装置。
【請求項４５】
ワイヤレス通信のための装置であって、
第１の動作状態の間に第１のデューティサイクルに応じてチャネルを走査するための手段と、
第２の動作状態の間に第２のデューティサイクルに応じて前記チャネルを走査するための手段であって、前記第２のデューティサイクルが前記第１のデューティサイクルよりも低い、走査するための手段と、
第３の動作状態の間に第３のデューティサイクルに応じて前記チャネルを走査するための手段であって、前記第３のデューティサイクルが前記第２のデューティサイクルよりも低い、走査するための手段と
を備える装置。
【請求項４６】
前記第１の動作状態がアクティブ状態を備え、前記第２の動作状態が周期的状態を備え、前記第３の動作状態が待機状態を備える、請求項４５に記載の装置。
【請求項４７】
前記第２のデューティサイクルに応じた前記チャネル走査が、第１の時間間隔に基づく時間に周期的に走査することを備え、
前記第３のデューティサイクルに応じた前記チャネル走査が、第２の時間間隔に基づく時間に周期的に走査することを備え、
前記第２の時間間隔が前記第１の時間間隔よりも長い
請求項４５に記載の装置。
【請求項４８】
前記第１のデューティサイクルに応じた前記チャネル走査が、前記チャネルを連続的に走査することを備える、請求項４７に記載の装置。
【請求項４９】
前記第１のデューティサイクルに応じた前記チャネル走査が、第３の時間間隔に基づく時間に周期的に走査することを備え、
前記第３の時間間隔が前記第１の時間間隔よりも短い
請求項４７に記載の装置。
【請求項５０】
前記第３の時間間隔が、非同期パケットのプリアンブルをキャプチャするのに十分高い走査レートに対応する、請求項４９に記載の装置。
【請求項５１】
前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、請求項４９に記載の装置。
【請求項５２】
第１のタイムアウト期間中に信号が受信されなかった場合、前記第１の動作状態から前記第２の動作状態に遷移するための手段と、
第２のタイムアウト期間中に信号が受信されなかった場合、前記第２の動作状態から前記第３の動作状態に遷移するための手段と
をさらに備える、請求項４５に記載の装置。
【請求項５３】
各信号が、パケット、データパケット、ページングメッセージ、発見メッセージ、または制御メッセージを備える、請求項５２に記載の装置。
【請求項５４】
連続チャネル走査の第１の定義された量の間に信号が受信されなかった場合、前記第１の動作状態から前記第２の動作状態に遷移するための手段と、
連続チャネル走査の第２の定義された量の間に信号が受信されなかった場合、前記第２の動作状態から前記第３の動作状態に遷移するための手段と
をさらに備える、請求項４５に記載の装置。
【請求項５５】
各信号が、パケット、データパケット、ページングメッセージ、発見メッセージ、または制御メッセージを備える、請求項５４に記載の装置。
【請求項５６】
信号が受信された場合、前記第３の動作状態から前記第１の動作状態に遷移するための手段と、
信号が受信された場合、前記第２の動作状態から前記第１の動作状態に遷移するための手段と
をさらに備える、請求項４５に記載の装置。
【請求項５７】
各信号が、パケット、データパケット、ページングメッセージ、発見メッセージ、または制御メッセージを備える、請求項５６に記載の装置。
【請求項５８】
前記第３の動作状態の間の前記走査の周期的タイミングを、前記第２の動作状態の間の前記走査の周期的タイミングと相関させるための手段をさらに備える、請求項４５に記載の装置。
【請求項５９】
前記第３の動作状態の間の前記走査の前記周期的タイミングと、前記第２の動作状態の間の前記走査の前記周期的タイミングとが、共通のタイミングオフセットに基づく、請求項５８に記載の装置。
【請求項６０】
前記チャネル走査のいずれかの間に信号が受信された場合、応答信号を送信するための手段をさらに備え、前記応答信号が、肯定応答メッセージ、またはページングメッセージに対する応答を備える、請求項４５に記載の装置。
【請求項６１】
ページングメッセージを受信するための手段と、
前記ページングメッセージに対する応答を送信するための手段とをさらに備え、前記応答の前記送信のタイミングが、前記第２の動作状態、前記第３の動作状態、または前記第２および第３の動作状態の間の前記走査のタイミングの指示を与える
請求項４５に記載の装置。
【請求項６２】
ページングメッセージを受信するための手段と、
前記ページングメッセージに対する応答を送信するための手段とをさらに備え、前記応答が、前記第２の動作状態、前記第３の動作状態、または前記第２および第３の動作状態の間の前記走査のタイミングの指示を含む
請求項４５に記載の装置。
【請求項６３】
定義された時間期間内に複数のノードからページングメッセージを受信するための手段と、
前記ページングメッセージに対して単一の応答を送信するための手段と
をさらに備える、請求項４５に記載の装置。
【請求項６４】
前記単一の応答の前記送信が、前記複数のノードに共通であるチャネルを介して前記単一の応答をブロードキャストすることを備える、請求項６３に記載の装置。
【請求項６５】
前記単一の応答のプリアンブルの長さが、前記複数のノードに関連する相対走査期間時間に基づく、請求項６３に記載の装置。
【請求項６６】
前記第１のデューティサイクル、前記第２のデューティサイクル、または前記第３のデューティサイクルのうちの少なくとも１つが、ノードタイプに基づく、請求項４５に記載の装置。
【請求項６７】
ワイヤレス通信のためのコンピュータプログラム製品であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うための、実行可能なコードを備えるコンピュータ可読媒体
を備えるコンピュータプログラム製品。
【請求項６８】
ワイヤレス通信のためのヘッドセットであって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うように構成された受信機と、
前記受信機によって受信されたデータに基づいてオーディオ出力を与えるように構成された変換器と
を備えるヘッドセット。
【請求項６９】
ワイヤレス通信のための時計であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うように構成された受信機と、
前記受信機によって受信されたデータに基づいて指示を与えるように構成されたユーザインターフェースと
を備える時計。
【請求項７０】
ワイヤレス通信のための検知デバイスであって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うように構成された受信機と、
前記第１の動作状態、前記第２の動作状態、または前記第３の動作状態のうちの少なくとも１つの間に送信すべきデータを与えるように構成されたセンサと
を備える検知デバイス。
【請求項７１】
ワイヤレス通信の方法であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと
を備える方法。
【請求項７２】
前記第１の動作状態がアクティブ状態を備え、前記第２の動作状態が周期的状態を備え、前記第３の動作状態が待機状態を備える、請求項７１に記載の方法。
【請求項７３】
前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
請求項７１に記載の方法。
【請求項７４】
前記第１のデューティサイクルが連続走査に関連付けられた、請求項７３に記載の方法。
【請求項７５】
前記第１のデューティサイクルが第３の時間間隔に応じた走査に関連付けられ、
前記第３の時間間隔が前記第１の時間間隔よりも短い
請求項７３に記載の方法。
【請求項７６】
前記第１の動作状態の間の前記送信が送信パケットを備え、前記送信パケットの各々が、前記第３の時間間隔よりも長いプリアンブルを有する、請求項７５に記載の方法。
【請求項７７】
第１のワイヤレスノードにおいて、第２のワイヤレスノードの走査タイミングに関するタイミング情報を受信することと、
前記受信したタイミング情報に基づいて前記第２の動作状態の前記送信時間を定義することと、
前記受信したタイミング情報に基づいて前記第３の動作状態の前記送信時間を定義することと
をさらに備える、請求項７１に記載の方法。
【請求項７８】
第２のワイヤレスノードの動作状態の推定に基づいて、第１のワイヤレスノードにおいて前記第１の動作状態と前記第２の動作状態と前記第３の動作状態との間で遷移することをさらに備える、請求項７１に記載の方法。
【請求項７９】
前記チャネル上の前記送信の１つに応答する応答信号がないか前記チャネルを走査することをさらに備える、請求項７１に記載の方法。
【請求項８０】
第１のタイムアウト期間中に信号が送信されなかったか、または前記第１のタイムアウト期間中に信号は送信されたが、応答信号が受信されなかった場合、前記第１の動作状態から前記第２の動作状態に遷移することと、
第２のタイムアウト期間中に信号が送信されなかったか、または前記第２のタイムアウト期間中に信号は送信されたが、応答信号が受信されなかった場合、前記第２の動作状態から前記第３の動作状態に遷移することと
をさらに備える、請求項７１に記載の方法。
【請求項８１】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項８０に記載の方法。
【請求項８２】
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移することと、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移することと
をさらに備える、請求項７１に記載の方法。
【請求項８３】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項８２に記載の方法。
【請求項８４】
前記第３の動作状態の間にページングメッセージを送信することと、
前記ページングメッセージに対する応答が受信された場合、前記第３の動作状態から前記第１の動作状態に遷移することと
をさらに備える、請求項７１に記載の方法。
【請求項８５】
前記第２の動作状態の間に信号が送信され、応答信号が受信された場合、前記第２の動作状態から前記第１の動作状態に遷移することをさらに備える、請求項７１に記載の方法。
【請求項８６】
前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
請求項８５に記載の方法。
【請求項８７】
前記第２の動作状態に関連する周期的タイミングを前記第３の動作状態に関連する周期的タイミングと同期させることをさらに備える、請求項７１に記載の方法。
【請求項８８】
前記第３の動作状態に関連する前記周期的タイミングと、前記第２の動作状態に関連する前記周期的タイミングとが、共通のタイミングオフセットに基づく、請求項８７に記載の方法。
【請求項８９】
ページングメッセージを送信することと、
前記ページングメッセージに対する応答を受信することとをさらに備え、前記応答の前記受信のタイミングが、前記第２の動作状態、前記第３の動作状態、または前記第２および第３の動作状態のためのタイミング境界の指示を与える
請求項７１に記載の方法。
【請求項９０】
ページングメッセージを送信することと、
前記ページングメッセージに対する応答を受信することとをさらに備え、前記応答が、前記第２の動作状態、前記第３の動作状態、または前記第２および第３の動作状態のためのタイミング境界の指示を含む
請求項７１に記載の方法。
【請求項９１】
前記第１のデューティサイクル、前記第２のデューティサイクル、または前記第３のデューティサイクルのうちの少なくとも１つが、ノードタイプに基づく、請求項７１に記載の方法。
【請求項９２】
ワイヤレス通信のための装置であって、
第１の動作状態と第２の動作状態と第３の動作状態との間の遷移を制御するように構成された状態コントローラと、
前記第１の動作状態の間の任意の時間にチャネル上で送信することであって、前記第１の動作状態が第１のデューティサイクルに関連する、送信することと、
前記第２の動作状態の間に、第２のデューティサイクルに関連する走査タイミングに基づく時間に前記チャネル上で送信することであって、前記第２のデューティサイクルが前記第１のデューティサイクルよりも低い、送信することと、
前記第３の動作状態の間に、第３のデューティサイクルに関連する走査タイミングに基づく時間に前記チャネル上で送信することであって、前記第３のデューティサイクルが前記第２のデューティサイクルよりも低い、送信することと
を行うように構成された送信機と、を備える装置。
【請求項９３】
前記第１の動作状態がアクティブ状態を備え、前記第２の動作状態が周期的状態を備え、前記第３の動作状態が待機状態を備える、請求項９２に記載の装置。
【請求項９４】
前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
請求項９２に記載の装置。
【請求項９５】
前記第１のデューティサイクルが連続走査に関連付けられた、請求項９４に記載の装置。
【請求項９６】
前記第１のデューティサイクルが第３の時間間隔に応じた走査に関連付けられ、
前記第３の時間間隔が前記第１の時間間隔よりも短い
請求項９４に記載の装置。
【請求項９７】
前記第１の動作状態の間の前記送信が送信パケットを備え、前記送信パケットの各々が、前記第３の時間間隔よりも長いプリアンブルを有する、請求項９６に記載の装置。
【請求項９８】
第１のワイヤレスノードにおいて、第２のワイヤレスノードの走査タイミングに関するタイミング情報を受信するように構成された受信機と、
前記受信したタイミング情報に基づいて前記第２の動作状態の前記送信時間を定義するように構成され、前記受信したタイミング情報に基づいて前記第３の動作状態の前記送信時間を定義するようにさらに構成されたタイミングコントローラと
をさらに備える、請求項９２に記載の装置。
【請求項９９】
前記状態コントローラが、第２のワイヤレスノードの動作状態の推定に基づいて、第１のワイヤレスノードにおいて前記第１の動作状態と前記第２の動作状態と前記第３の動作状態との間で遷移するようにさらに構成された、請求項９２に記載の装置。
【請求項１００】
前記チャネル上の前記送信の１つに応答する応答信号がないか前記チャネルを走査するように構成された受信機をさらに備える、請求項９２に記載の装置。
【請求項１０１】
前記状態コントローラが、
第１のタイムアウト期間中に信号が送信されなかったか、または前記第１のタイムアウト期間中に信号は送信されたが、応答信号が受信されなかった場合、前記第１の動作状態から前記第２の動作状態に遷移することと、
第２のタイムアウト期間中に信号が送信されなかったか、または前記第２のタイムアウト期間中に信号は送信されたが、応答信号が受信されなかった場合、前記第２の動作状態から前記第３の動作状態に遷移することと
を行うようにさらに構成された、請求項９２に記載の装置。
【請求項１０２】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１０１に記載の装置。
【請求項１０３】
前記状態コントローラが、
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移することと、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移することと
を行うようにさらに構成された、請求項９２に記載の装置。
【請求項１０４】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１０３に記載の装置。
【請求項１０５】
前記送信機が、前記第３の動作状態の間にページングメッセージを送信するようにさらに構成され、
前記状態コントローラが、前記ページングメッセージに対する応答が受信された場合、前記第３の動作状態から前記第１の動作状態に遷移するようにさらに構成された
請求項９２に記載の装置。
【請求項１０６】
前記状態コントローラが、前記第２の動作状態の間に信号が送信され、応答信号が受信された場合、前記第２の動作状態から前記第１の動作状態に遷移するようにさらに構成された、請求項９２に記載の装置。
【請求項１０７】
前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
請求項１０６に記載の装置。
【請求項１０８】
前記第２の動作状態に関連する周期的タイミングを前記第３の動作状態に関連する周期的タイミングと同期させるように構成されたタイミングコントローラをさらに備える、請求項９２に記載の装置。
【請求項１０９】
前記第３の動作状態に関連する前記周期的タイミングと、前記第２の動作状態に関連する前記周期的タイミングとが、共通のタイミングオフセットに基づく、請求項１０８に記載の装置。
【請求項１１０】
前記送信機がページングメッセージを送信するようにさらに構成され、
前記装置が、前記ページングメッセージに対する応答を受信するように構成された受信機をさらに備え、前記応答の前記受信のタイミングが、前記第２の動作状態、前記第３の動作状態、または前記第２および第３の動作状態のためのタイミング境界の指示を与える
請求項９２に記載の装置。
【請求項１１１】
前記送信機がページングメッセージを送信するようにさらに構成され、
前記装置が、前記ページングメッセージに対する応答を受信するように構成された受信機をさらに備え、前記応答が、前記第２の動作状態、前記第３の動作状態、または前記第２および第３の動作状態のためのタイミング境界の指示を含む
請求項９２に記載の装置。
【請求項１１２】
前記第１のデューティサイクル、前記第２のデューティサイクル、または前記第３のデューティサイクルのうちの少なくとも１つが、ノードタイプに基づく、請求項９２に記載の装置。
【請求項１１３】
ワイヤレス通信のための装置であって、
第１の動作状態の間の任意の時間にチャネル上で送信するための手段であって、前記第１の動作状態が第１のデューティサイクルに関連する、送信するための手段と、
第２の動作状態の間に、第２のデューティサイクルに関連する走査タイミングに基づく時間に前記チャネル上で送信するための手段であって、前記第２のデューティサイクルが前記第１のデューティサイクルよりも低い、送信するための手段と、
第３の動作状態の間に、第３のデューティサイクルに関連する走査タイミングに基づく時間に前記チャネル上で送信するための手段であって、前記第３のデューティサイクルが前記第２のデューティサイクルよりも低い、送信するための手段と
を備える装置。
【請求項１１４】
前記第１の動作状態がアクティブ状態を備え、前記第２の動作状態が周期的状態を備え、前記第３の動作状態が待機状態を備える、請求項１１３に記載の装置。
【請求項１１５】
前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
請求項１１３に記載の装置。
【請求項１１６】
前記第１のデューティサイクルが連続走査に関連付けられた、請求項１１５に記載の装置。
【請求項１１７】
前記第１のデューティサイクルが第３の時間間隔に応じた走査に関連付けられ、
前記第３の時間間隔が前記第１の時間間隔よりも短い
請求項１１５に記載の装置。
【請求項１１８】
前記第１の動作状態の間の前記送信が送信パケットを備え、前記送信パケットの各々が、前記第３の時間間隔よりも長いプリアンブルを有する、請求項１１７に記載の装置。
【請求項１１９】
第１のワイヤレスノードにおいて、第２のワイヤレスノードの走査タイミングに関するタイミング情報を受信するための手段と、
前記受信したタイミング情報に基づいて前記第２の動作状態の前記送信時間を定義するための手段と、
前記受信したタイミング情報に基づいて前記第３の動作状態の前記送信時間を定義するための手段と
をさらに備える、請求項１１３に記載の装置。
【請求項１２０】
第２のワイヤレスノードの動作状態の推定に基づいて、第１のワイヤレスノードにおいて前記第１の動作状態と前記第２の動作状態と前記第３の動作状態との間で遷移するための手段をさらに備える、請求項１１３に記載の装置。
【請求項１２１】
前記チャネル上の前記送信の１つに応答する応答信号がないか前記チャネルを走査するための手段をさらに備える、請求項１１３に記載の装置。
【請求項１２２】
第１のタイムアウト期間中に信号が送信されなかったか、または前記第１のタイムアウト期間中に信号は送信されたが、応答信号が受信されなかった場合、前記第１の動作状態から前記第２の動作状態に遷移するための手段と、
第２のタイムアウト期間中に信号が送信されなかったか、または前記第２のタイムアウト期間中に信号は送信されたが、応答信号が受信されなかった場合、前記第２の動作状態から前記第３の動作状態に遷移するための手段と
をさらに備える、請求項１１３に記載の装置。
【請求項１２３】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１２２に記載の装置。
【請求項１２４】
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移するための手段と、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移するための手段と
をさらに備える、請求項１１３に記載の装置。
【請求項１２５】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１２４に記載の装置。
【請求項１２６】
前記第３の動作状態の間にページングメッセージを送信するための手段と、
前記ページングメッセージに対する応答が受信された場合、前記第３の動作状態から前記第１の動作状態に遷移するための手段と
をさらに備える、請求項１１３に記載の装置。
【請求項１２７】
前記第２の動作状態の間に信号が送信され、応答信号が受信された場合、前記第２の動作状態から前記第１の動作状態に遷移するための手段をさらに備える、請求項１１３に記載の装置。
【請求項１２８】
前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
請求項１２７に記載の装置。
【請求項１２９】
前記第２の動作状態に関連する周期的タイミングを前記第３の動作状態に関連する周期的タイミングと同期させるための手段をさらに備える、請求項１１３に記載の装置。
【請求項１３０】
前記第３の動作状態に関連する前記周期的タイミングと、前記第２の動作状態に関連する前記周期的タイミングとが、共通のタイミングオフセットに基づく、請求項１２９に記載の装置。
【請求項１３１】
ページングメッセージを送信するための手段と、
前記ページングメッセージに対する応答を受信するための手段とをさらに備え、前記応答の前記受信のタイミングが、前記第２の動作状態、前記第３の動作状態、または前記第２および第３の動作状態のためのタイミング境界の指示を与える
請求項１１３に記載の装置。
【請求項１３２】
ページングメッセージを送信するための手段と、
前記ページングメッセージに対する応答を受信するための手段とをさらに備え、前記応答が、前記第２の動作状態、前記第３の動作状態、または前記第２および第３の動作状態のためのタイミング境界の指示を含む
請求項１１３に記載の装置。
【請求項１３３】
前記第１のデューティサイクル、前記第２のデューティサイクル、または前記第３のデューティサイクルのうちの少なくとも１つが、ノードタイプに基づく、請求項１１３に記載の装置。
【請求項１３４】
ワイヤレス通信のためのコンピュータプログラム製品であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと
を行うための、実行可能なコードを備えるコンピュータ可読媒体
を備えるコンピュータプログラム製品。
【請求項１３５】
ワイヤレス通信のためのヘッドセットであって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと
を行うように構成された送信機と、
前記第１の動作状態、前記第２の動作状態、または前記第３の動作状態のうちの少なくとも１つの間に受信されたデータに基づいてオーディオ出力を与えるように構成された変換器と
を備えるヘッドセット。
【請求項１３６】
ワイヤレス通信のための時計であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと
を行うように構成された送信機と、
前記第１の動作状態、前記第２の動作状態、または前記第３の動作状態のうちの少なくとも１つの間に受信されたデータに基づいて指示を与えるように構成されたユーザインターフェースと
を備える時計。
【請求項１３７】
ワイヤレス通信のための検知デバイスであって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと
を行うように構成された送信機と、
前記送信機によって送信すべきデータを与えるように構成されたセンサと
を備える検知デバイス。
【発明の詳細な説明】
【技術分野】
【０００１】
米国特許法第１１９条に基づく優先権の主張
本出願は、その開示が参照により本明細書に組み込まれる、２００８年４月２３日に出願され、弁理士整理番号第０６１５２５Ｐ１号を付与された、同一出願人が所有する米国特許仮出願第６１／０４７，１８９号の利益および優先権を主張する。
【０００２】
本出願は、一般にワイヤレス通信に関し、より詳細には、限定はしないが、複数のデューティサイクルレベルを採用する通信に関する。
【背景技術】
【０００３】
ワイヤレス通信システムは、様々な最終用途をサポートするように設計できる。そのような用途をサポートするために、所与のシステムの実装において、電力消費量、待ち時間、チャネル干渉、チャネル使用、および他のシステムパラメータに関して、１つまたは複数のトレードオフが行われることがある。たとえば、バッテリ式デバイス（たとえば、比較的小さいおよび／またはポータブルであるデバイス）に接続性を与えるために、いくつかのネットワークが使用できる。
【０００４】
いくつかの態様では、そのようなデバイスの電力消費量を低減することが望ましい。たとえば、電力消費量がより少ないデバイスは、より小さいバッテリを利用することができる。したがって、デバイスは、潜在的に、より小さいフォームファクタで、より低いコストで製造できる。さらに、電力消費量がより少ないデバイスは、バッテリ再充電またはバッテリ交換の頻度がより少なくて済む。この場合、デバイスは、ユーザにとってより使いやすく、全体的な所有コストをより低くすることができる。
【０００５】
いくつかのタイプのネットワーク（たとえば、ＩＥＥＥ８０２．１５．１および８０２．１５．４）は、デバイスがその全体的な電力消費量を低減することを可能にするパワーダウン戦略をサポートすることができる。ここで、デバイスは、パケットをもはや送信または受信していない場合、ある時間期間の間、デバイスのいくつかの部分（たとえば、無線）をパワーダウンすることができる。
【０００６】
場合によっては、受信デバイスは、送信デバイスがデータを送信しようと試みているかどうかを判断するために、定期的な走査間隔で低電力状態からアウェイクすることができる。受信デバイスは、走査間隔の継続時間よりも短い定義された走査時間の間、走査することができる。走査間隔にわたる走査時間の比率を低電力状態のデューティサイクルと呼ぶことができる。
【０００７】
送信デバイスは、送信すべきパケットを有するまで、その低電力状態のままでいられる。送信すべきパケットがあるとき、送信デバイスは、パケットの送信を開始するために受信デバイスをページングする。ここで、送信デバイスは、受信デバイスの低電力走査のうちの１つの間に受信デバイスがページングメッセージを確実に受信するように、ページングメッセージを繰り返し送信することができる。
【０００８】
ページングメッセージを受信すると、受信デバイスは、送信ノードに対して応答を送信し、それにより両方のデバイスはアクティブ状態に移行する。アクティブ状態の間、受信デバイスは、着信パケットを連続的に走査する（すなわち、デューティサイクルは１００％である）。定義された時間期間（たとえば、タイムアウト期間）の間にパケット交換がなかった場合、送信ノードおよび受信ノードは低電力状態に戻る。
【０００９】
いくつかの態様では、タイムアウト期間の継続時間は、待ち時間とデューティサイクリングとの間のトレードオフである。タイムアウト期間が長い場合、受信デバイスはパケットの走査に電力を浪費することがある。たとえば、低いデータレートアプリケーションをサポートするとき、または比較的多数のページングフォールスアラームがあるとき、比較的大量の電力が浪費されることがある。一方、タイムアウト期間が短い場合、より長い低電力走査間隔が待ち時間を左右する傾向がある。その上、短いタイムアウト期間は、輻輳制御に関連する指数バックオフを効果的に適応させることができない。
【発明の概要】
【００１０】
本開示の例示的な態様の概要について以下で説明する。本明細書における態様という用語への言及は、本開示の１つまたは複数の態様を指すことがあることを理解されたい。
【００１１】
本開示は、いくつかの態様では、ワイヤレスパケットチャネルを介して通信するデバイスまたは何らかの他の方法で通信するデバイスのパフォーマンスを改善するために使用できる低デューティサイクル方式に関する。いくつかの態様では、そのような方式は、通信パフォーマンス（たとえば、待ち時間）に著しく影響を及ぼすことなしに電力消費量の低減を可能にする。いくつかの態様では、そのような方式は、パーソナルエリアネットワーク、ボディエリアネットワーク、または超広帯域技術もしくは他の技術（たとえば、狭帯域技術）を採用する他のタイプのネットワークにおいて採用できる。
【００１２】
本開示は、いくつかの態様では、３つ以上のデューティサイクルレベルを採用するデューティサイクル方式に関する。たとえば、あるデューティサイクルがアクティブ状態に関連し、より低いデューティサイクルが周期的状態に関連し、さらに低いデューティサイクルが待機状態に関連する。いくつかの態様では、ワイヤレスデバイスは、アクティブ状態では信号（たとえば、データパケット）を断続的に走査し、周期的状態の間は信号（たとえば、データパケット）を周期的に走査し、待機状態の間は信号（たとえば、ページングメッセージ）を周期的に走査することができる。いくつかの態様では、異なる状態のタイミングを相関させることができる。たとえば、待機状態の間の走査時間を周期的状態および／またはアクティブ状態の間の走査時間に同期させることができる。
【００１３】
本開示は、いくつかの態様では、システム中の各ワイヤレスデバイスがそのデューティサイクル状態を独立して制御することができる、デューティサイクル方式に関する。ここで、第１のデバイスは、第１のデバイスに状態を変更するように命令する第２のデバイスから受信した制御メッセージに基づいて状態を変更するのではなく、第１のデバイスにおいて行われた決定に基づいて別のデューティサイクル状態に変更することができる。たとえば、受信デバイスは、信号を受信したかどうか、およびいつ信号を受信したかに基づいて、そのデューティサイクル状態を独立して定義することができる。さらに、送信デバイスは、送信デバイスが関連する受信デバイスに信号を送信し、そこから応答信号を受信したかどうか、またはいつそれを送信し、受信したかに基づいて、そのデューティサイクル状態を独立して定義することができる。
【００１４】
本開示のこれらおよび他の例示的な態様について、以下の詳細な説明および添付の特許請求の範囲、ならびに添付の図面において説明する。
【図面の簡単な説明】
【００１５】
【図１】ワイヤレス通信システムのいくつかの例示的な態様の簡略ブロック図。
【図２】３レベルデューティサイクル方式のいくつかの例示的な態様を示す簡略状態図。
【図３】３レベルデューティサイクル方式のいくつかの例示的な態様を示す簡略タイミング図。
【図４Ａ】受信ノードによって実行されるデューティサイクル動作のいくつかの例示的な態様のフローチャート。
【図４Ｂ】受信ノードによって実行されるデューティサイクル動作のいくつかの例示的な態様のフローチャート。
【図４Ｃ】受信ノードによって実行されるデューティサイクル動作のいくつかの例示的な態様のフローチャート。
【図５Ａ】送信ノードによって実行されるデューティサイクル動作のいくつかの例示的な態様のフローチャート。
【図５Ｂ】送信ノードによって実行されるデューティサイクル動作のいくつかの例示的な態様のフローチャート。
【図５Ｃ】送信ノードによって実行されるデューティサイクル動作のいくつかの例示的な態様のフローチャート。
【図６】通信システムの構成要素のいくつかの例示的な態様を示す簡略ブロック図。
【図７】通信構成要素のいくつかの例示的な態様の簡略ブロック図。
【図８】本明細書で教示するマルチレベルデューティサイクリングを行うように構成された装置のいくつかの例示的な態様の簡略ブロック図。
【図９】本明細書で教示するマルチレベルデューティサイクリングを行うように構成された装置のいくつかの例示的な態様の簡略ブロック図。
【発明を実施するための形態】
【００１６】
慣例により、図面中に示された様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１７】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは独立に実装できること、およびこれらの態様のうちの２つ以上を様々な方法で組み合わせることができることを、当業者なら諒解されたい。たとえば、本明細書に記載の態様をいくつ使用しても、装置を実現し、または方法を実施することができる。さらに、本明細書に記載の態様のうちの１つまたは複数に加えて、あるいはそれら以外の他の構造、機能、または構造および機能を使用して、そのような装置を実現し、またはそのような方法を実施することができる。さらに、態様は、請求項の少なくとも１つの要素を備えることができる。上記の一例として、いくつかの態様では、ワイヤレス通信の方法は、第１の動作状態の間に第１のデューティサイクルに応じてチャネルを走査することと、第２の動作状態の間に第２のデューティサイクルに応じてチャネルを走査することであって、第２のデューティサイクルが第１のデューティサイクルよりも低い、走査することと、第３の動作状態の間に第３のデューティサイクルに応じてチャネルを走査することであって、第３のデューティサイクルが第２のデューティサイクルよりも低い、走査することとを備える。さらに、いくつかの態様では、第１の動作状態はアクティブ状態を備え、第２の動作状態は周期的状態を備え、第３の動作状態は待機状態を備える。
【００１８】
説明のために、以下の考察では、１つのワイヤレスノードが１つまたは複数の他のワイヤレスノードにパケットを送信し、そこからパケットを受信する、ワイヤレスシステムの様々なノード、構成要素、および動作について説明する。本明細書の教示はまた、他のタイプのノード、他のタイプのデバイス、他のタイプの通信システム、および他のタイプのトラフィック（たとえば、パケットを備えない信号の送信）に適用可能であることを諒解されたい。
【００１９】
図１に、ワイヤレス通信システム１００のいくつかの例示的な態様を示す。説明のために、システム１００を、いくつかのワイヤレスノード１０２、１０４および１０６を含むものとして示す。そのようなシステムは、実際には、異なる数のノードを含むことができることを諒解されたい。
【００２０】
１つまたは複数の通信チャネルを介して１つまたは複数のトラフィックフローを受信および／または送信するために、所与のワイヤレスノードを１つまたは複数の他のノードに関連付けることができる。この目的で、各ワイヤレスノードは、少なくとも１つのアンテナと、関連するワイヤレス通信構成要素とを備えることができる。図１の例では、ノード１０２、１０４、および１０６は、それぞれトランシーバ１０８、１１０、および１１２（たとえば、超広帯域トランシーバ）を含む。そのようなノードは、異なる実装形態において異なるタイプのトランシーバを採用することができることを諒解されたい。
【００２１】
いくつかの実装形態では、ノード１０２、１０４、および１０６のうちの２つ以上がピアツーピアネットワークトポロジを使用して互いに通信することができる。たとえば、ノード１０２、１０４、および１０６の各々は、通信媒体にアクセスするための同じまたは実質的に同様の媒体アクセス制御機能を組み込むことができる。その上、ノード１０２、１０４、および１０６は、コーディネータ、中央制御装置、または他の同様の機能を使用せずに媒体にアクセスすることができる。たとえば、ピアノードのペアは、チャネルを確立し、他のデバイスと協調する（たとえば、他のデバイスから許可を得る）ことなしにチャネルを介してデータを送信することができる。
【００２２】
所与のノード（たとえば、ノード１０２）が別のノード（たとえば、ノード１０４）のカバレージエリア内にあるとき、ノードは、最初に、知られているチャネルを介して通信することによって互いに通信を確立することができる。たとえば、各ノードは、隣接デバイスからの信号を定期的に走査する（たとえば、その受信機がそれらの信号を検出することを可能にする）共通チャネルを割り当てられる。さらに、システム全体にわたる共通チャネルを定義することができ、それにより、システム中のすべてのノードがチャネルを定期的に走査することができる。
【００２３】
チャネルは様々な方法で定義できる。たとえば、パルスベースのシステム（たとえば、超広帯域システム）では、パルス繰返し期間、パルス遅延、時間ホッピングシーケンス、または何らかの他のパラメータのうちの１つまたは複数を選択することによって、チャネルを定義することができる。いくつかの態様では、ノードの異なるセット（たとえば、ノードの隣接セット）が、互いに直交または擬似直交するチャネルを定義しようと試みることがある。この場合、ノードの異なるセットは、他のセットからのシグナリングを監視することによって、他のセットからのタイミング情報を受信することによって、または何らかの他の方法でパラメータ関連情報を得ることによって、他のセットによって使用されるチャネルパラメータ（たとえば、パルスタイミング）を判断することができる。このようにして、ノードの各セットは、ノードの隣接セットとの潜在的な干渉を緩和する方法で、そのチャネルパラメータを定義することができる。
【００２４】
以下の説明では、（たとえば、所与のチャネルを介して）受信することに関係する動作を実行しているワイヤレスノードを指すために、受信ノードという用語を使用し、（たとえば、所与のチャネルを介して）送信することに関係する動作を実行しているワイヤレスノードを指すために、送信ノードという用語を使用する。そのような言及は、ワイヤレスノードが送信と受信の両方の動作を実行することが不可能であることを暗示しない。
【００２５】
いくつかの態様では、所与のノードはマルチレベルデューティサイクリング方式を採用することができ、それにより、ノードは、パケットを送信または受信していないとき、電力を節約するために、より低いデューティサイクル状態に入ることができる。たとえば、受信中心媒体アクセス制御方式において、送信すべきデータを有するまで低電力状態のままであるように送信ノードを構成することができ、送信ノードからの送信を繰り返し走査するように受信ノードを構成することができる。そのような場合、受信ノードは、パケットを走査しているときはいつでも、比較的大量の電力を消費することがある。この走査は、電力消費量の観点から、送信機がデータを送信していないか、またはほとんどデータを送信していない時間中、特に非効率的である場合がある。後述するように、トラフィックアクティビティが低いときは受信ノードが走査する時間量を低減し、トラフィックアクティビティが高いときは効率的なデータ転送を可能にする、マルチレベルデューティサイクリング方式を採用することができる。
【００２６】
図２および図３にそれぞれ例示的な３レベルデューティサイクル方式の状態遷移２００およびタイミング３００を示す。図２で示すように、所与の時点において、ノードは、待機状態２０２、アクティブ状態２０４、または周期的状態２０６で動作することができる。図３で示すように、受信ノードは、（たとえば、ハッチングされたエリア３０８によって示すように）アクティブ状態２０４の間は第１のデューティサイクルに応じて、周期的状態２０６の間は第２のデューティサイクルに応じて、待機状態２０２の間は第３のデューティサイクルに応じて走査することができる。ここで、第２のデューティサイクルは第１のデューティサイクルよりも低く、第３のデューティサイクルは第２のデューティサイクルよりも低いとすることができる。
【００２７】
たとえば、受信ノードは、アクティブ状態２０４では指定されたチャネルを断続的に走査する。ここで、断続走査は、連続的に走査すること（たとえば、１００％デューティサイクル）、または走査間隔（たとえば、２５０μｓごと）に応じて走査することを含む。図２中の線２０８で表されるように、図３に示したタイムアウト期間ＴＯ１（たとえば、１ｍｓ）内にパケット転送アクティビティ（たとえば、パケットの受信または送信に関係するアクティビティ）がある限り、送信または受信ノードはアクティブ状態２０４のままでいられる。図３では、パケット転送はクロスハッチエリア３１０によって示される（たとえば、パケット受信およびパケット送信がそれぞれ横線の上および下に示される）。ＴＯ１よりも大きいかまたはそれに等しい時間期間の間にパケットが転送されない場合、ノードは図２中の線２１０で表されるように周期的状態２０６に遷移する。
【００２８】
周期的状態２０６では、受信ノードは、周期的走査間隔３０２（たとえば、１０ｍｓ）によって定義された時間に、走査期間３０４Ａによって定義された時間の長さの間、指定されたチャネルを走査する。ここで、間隔３０２および走査期間３０４Ａに関連する第２のデューティサイクルは、第１のデューティサイクルよりも低いことがわかる。周期的状態２０６の走査期間中に制御メッセージまたはデータが転送された場合、送信または受信ノードは、図２中の線２１２で表されるようにアクティブ状態２０４に戻る。しかしながら、図３に示されるタイムアウト期間ＴＯ２（たとえば、４０ｍｓ）よりも大きいかまたはそれに等しい時間期間の間に制御メッセージまたはデータが転送されなかった場合、ノードは図２中の線２１４で表されるように待機状態２０２に遷移する。
【００２９】
待機状態２０２では、受信ノードは、待機走査間隔３０６（たとえば、１００ｍｓ〜１ｓ）によって定義された時間に、走査期間３０４Ｂによって定義された時間の長さの間、指定されたチャネルを走査する。場合によっては、走査期間３０４Ｂは走査期間３０４Ａに等しいとすることができる。ここで、間隔３０６および走査期間３０４Ｂに関連する第３のデューティサイクルは、第２のデューティサイクルよりも低いことがわかる。後述するように、待機状態２０２からアクティブ状態２０４への遷移は、図２中の線２１６で表されるように制御メッセージ（たとえば、ページング関連メッセージ）またはデータ（たとえば、データパケット）の転送の結果として起こる。また、送信または受信ノードは、電源投入時、リセット後、チャネルを確立した後、または他の状況下で待機状態２０２に入ることができる。
【００３０】
いくつかの態様では、アクティブ状態、周期的状態、または待機状態に関連する走査間隔の継続時間は、様々な運用パラメータに基づくことができる。たとえば、いくつかの態様では、走査時間間隔はパケットプリアンブルのサイズに基づくことができる。たとえば、走査間隔は、少なくとも１回の走査によってプリアンブルを確実に検出できるようにするのを助けるために、プリアンブルシーケンスよりも短いことがある。いくつかの態様では、予想されるクロックドリフト（たとえば、送信機と関連する受信機の相対クロックドリフト）を適応させるように走査時間間隔を選択することができる。いくつかの態様では、走査時間間隔は、受信パケットが検出されるか、またはされない確率に基づくことができる。たとえば、高いサービス品質を望む受信ノードは、インバウンドパケットを検出しない可能性を低減するために、控えめな走査間隔を選択することができる。
【００３１】
以下でより詳細に論じるように、いくつかの態様では、タイムアウト期間ＴＯ１およびＴＯ２の１つまたは複数は、定義された時間期間とは対照的に、いくつかの走査に関することができる。たとえば、受信ノードにおいて、定義された走査数の間にメッセージまたはデータが受信されなかった場合、タイムアウトが起こる。
【００３２】
上述のように、本明細書の教示はパケットトラフィックに限定されない。たとえば、いくつかの態様では、図２の状態遷移は、（パケットではなく）信号が受信されたかどうかに基づくことができる。したがって、線２１６によって表される状態遷移は信号の受信または送信から生じることがある。線２１２によって表される状態遷移は信号の受信または送信から生じることがある。線２０８によって表される状態フローは信号の受信または送信から生じることがある。線２１０によって表される状態遷移は、（たとえば、定義された時間期間または定義された走査数にわたって）信号を受信または送信しないことから生じることがある。線２１４によって表される状態遷移は、（たとえば、定義された時間期間または定義された走査数にわたって）信号を受信または送信しないことから生じることがある。
【００３３】
上述の信号は様々な形態を取ることができる。たとえば、いくつかの態様では、そのような信号はビットシーケンスを備える。いくつかの態様では、このような信号は、ページングメッセージ、肯定応答メッセージ、発見メッセージ、制御メッセージ、パケット、データパケット、制御パケット、または何らかの他のタイプの通信シグナリングの少なくとも一部分を備える。またいくつかの態様では、信号は応答信号を備える。この場合、応答信号は、たとえば、ページングメッセージに対する応答、発見メッセージに対する応答、制御メッセージに対する応答、または肯定応答メッセージを備える。
【００３４】
次に、状態間の遷移、およびこれらの状態に関連するタイミングに関係する例示的な動作を、図４Ａ〜図５Ｃのフローチャートに関連してより詳細に論じる。便宜上、これらの図の動作（あるいは本明細書で論じるまたは教示する他の動作）は、特定の構成要素（たとえば、図６に示されるシステム６００の構成要素）によって実行されるものとして説明することがある。ただし、これらの動作は、他のタイプの構成要素によって実行でき、異なる個数の構成要素を使用して実行できることを諒解されたい。また、本明細書で説明する動作の１つまたは複数は、所与の実装形態では採用されない場合があることを諒解されたい。
【００３５】
図４Ａ〜図４Ｃに、受信ノードが実行することができる様々な動作を記載する。特に、図４Ａのブロック４０２〜４０４は、受信ノードが状態タイミングを定義するために実行することができるいくつかの動作に関する。図４Ａのブロック４０６〜４１４は、受信ノードが待機状態中に実行することができる動作に関する。図４Ｂのブロック４１６〜４３２は、受信ノードがアクティブ状態中に実行することができる動作に関する。図４Ｃのブロック４３４〜４４４は、受信ノードが周期的状態中に実行することができる動作に関する。
【００３６】
図５Ａ〜図５Ｃに、送信ノードが実行することができる様々な動作を記載する。図５Ａのブロック５０２は、送信ノードが状態タイミングを定義するために実行することができる動作に関する。図５Ａのブロック５０４〜５１２は、送信ノードが待機状態中に実行することができる動作に関する。図５Ｂのブロック５１４〜５２４は、送信ノードがアクティブ状態中に実行することができる動作に関する。図５Ｃのブロック５２６〜５３６は、送信ノードが周期的状態中に実行することができる動作に関する。
【００３７】
図６に、送信ノード６０２（たとえば、図１のノード１０２）および関連する受信ノード６０４（たとえば、ノード１０４）の例示的な構成要素を示す。ノード６０２および６０４は、他のノードと通信するためのトランシーバ６０６および６０８をそれぞれ含む。トランシーバ６０６および６０８は、それぞれ受信機６１０および６１２と、送信機６１４および６１６とを含む。ノード６０２および６０４の他の構成要素について、以下の図４Ａ〜図５Ｃの考察に関連して説明する。
【００３８】
図４Ａを参照すると、ブロック４０２で表されるように、受信ノード６０４は、ノードタイプに基づいて１つまたは複数のデューティサイクルパラメータを選択する。たとえば、（たとえば、１つまたは複数の異なる状態のための）１つまたは複数のデューティサイクルレベルの走査期間および／または走査間隔は、受信ノード６０４を具現するデバイスのタイプおよび／または送信ノード６０２を具現するデバイスのタイプに基づいて選択できる。このようにして、ノードの所望の動作特性、ノードによってサポートされるトラフィックフローの所望のサービス品質、アプリケーションレベル要件、何らかの他の基準、または上記の何らかの組合せを適応させるようにノードのデューティサイクリングを定義することができる。場合によっては、タイミングコントローラ６１８は、ノード６０４によって使用されるデューティサイクルパラメータを管理することができる。
【００３９】
一例として、ノードのペアが互いに関連するとき、それらが確立するチャネル上で使用すべきチャネルタイミングパラメータのセットを交渉する。そのようなパラメータは、たとえば、上述の周期的および待機走査間隔、ならびにＴＯ１およびＴＯ２タイムアウト期間を含む。このようにして、所与のノードは、そのニーズを満たすようにこれらのパラメータを指定することができる。たとえば、いくつかのタイプのノード（たとえば、セルフォンなどのハンドセット）は、いつでも通信しようと試みることができる他のノード（たとえば、周辺装置）との高速接続をサポートする必要がある。この場合、電力消費量の増加をもたらすことがあるが、接続待ち時間（たとえば、ページングに関連する待ち時間）を低減するために、ノードは比較的短い走査間隔を選択することがある。逆に、いくつかのタイプのノード（たとえば、関連するハンドセットにユーザ表示インターフェースを与える時計）の場合、そのバッテリが長い間持続するように電力を節約することがより望ましい。この場合、待ち時間の増加および／またはより多くの接続中断をもたらすことがあるが、走査に関連する電力消費量を低減するために、ノードは比較的長い走査間隔および／またはより短いタイムアウト期間を選択することがある。
【００４０】
また、場合によっては、ノードによって処理されるトラフィックのタイプをより効果的にサポートするようにデューティサイクルパラメータを定義することができる。たとえば、いくつかのノードは、ボイスオーバーインターネットプロトコル（「ＶｏＩＰ」）などの周期的トラフィックをサポートする。この場合、周期的トラフィックが送信されているときにノードが走査するように、周期的走査間隔および走査期間を定義することができる。また、あるタイプのノードの場合、他のノードとの接続によって伝えられるトラフィックフローが比較的長いトラフィック経過（たとえば、バースト的なパケットトラフィック）を有するときでも、これらの接続を維持することが重要な場合がある。この場合、電力消費量の増加をもたらすことがあるが、接続中断の回数を低減するために、ノードは比較的長いタイムアウト期間を選択することがある。
【００４１】
図６に示すように、ノード６０４は、そのタイミングパラメータおよび他の情報を、何らかの形態のデータメモリ６２０に記憶することができる。この情報は、たとえば、各チャネルに関連するタイミング間隔６２２（たとえば、走査間隔、走査期間、およびパルス繰返し期間）およびタイミングオフセット６２４を含む。さらに、ノード６０４は、そのノードタイプおよび／または１つまたは複数の隣接（たとえば、関連する）ノードのノードタイプに関係する情報６２６を保持することができる。
【００４２】
図４Ａのブロック４０４で表されるように、受信ノード６０４は、異なる状態のタイミングを相関させる。このようにして、ある状態中のノード６０４のタイミングを判断したノード（たとえば、ノード６０２）は、別の状態中のノード６０４のタイミングを容易に判断する（たとえば、推定する）ことができる。たとえば、タイミングコントローラ６１８は、異なる状態の走査間隔のタイミング（たとえば、開始の時間）を同期させることができる。この場合、周期的状態の間のノード６０４の走査間隔のタイミングを判断した後、ノード６０２は、待機状態の間のノード６０４の走査間隔のタイミングを容易に判断することができる。
【００４３】
ブロック４０６で表されるように、（たとえば、本明細書で論じる）ある時点において、ノード６０４は待機状態に遷移する。たとえば、ノード６０４は、ノードの現在の状態を制御する（たとえば、状態機械を備える）状態コントローラ６２８を含む。ここで、状態コントローラ６２８は、１つまたは複数の定義されたパラメータ（たとえば、タイムアウトパラメータ）に基づいて、および状態図２００のそのインスタンスに関連する状態に基づいて特定の状態（たとえば、状態間の遷移）を選択することができる。
【００４４】
待機状態の間、大体の場合、ノード６０４は、（たとえば、トランシーバ６０８の）１つまたは複数の構成要素が電源切断されるかまたは電力低減モードになる、低電力モードで動作することができる。ブロック４０８およびブロック４１０で表されるように、この状態では、ノード６０４は、次の待機走査間隔まで待機し、次の待機走査間隔においてトランシーバ６０８を一時的に電源投入し、指定された走査期間（たとえば、図３中の走査期間３０４Ｂ）の間チャネルを走査する。この目的で、ノード６０４は、タイミング間隔制御信号をノード６０４に与えるタイマおよび／またはカウンタ（タイマ／カウンタ６３０）を採用することができる。
【００４５】
いくつかの態様では、ノード６０４の状態遷移は、システム中の他のノードの状態遷移とは独立して実行できる。たとえば、ブロック４０６において、ノード６０４は、観測した特定のイベント（たとえば、信号の送信または受信）に基づいて、およびノード６０４が保持する情報（たとえば、状態図２００のノード６０４自体のインスタンス）に基づいて、待機状態に変更するかどうかに関して判断を行う。したがって、特定の状態に切り替わるようにノード６０４に命令する別のノードからのメッセージに応答してその状態を遷移するのではなく、ノード６０４自体がいつ状態を遷移するかについて判断する。その上、ノード６０４が待機状態に遷移するとき、ノード６０４に関連する送信ノードは必ずしもその状態に遷移するわけではない。
【００４６】
ブロック４１２で表されるように、ブロック４１０における走査中に信号が受信されなかった場合、ノード６０４は待機状態のままである。この場合、信号が受信されるまで、ノード６０４は上記の動作を繰り返し実行する。上述のように、信号は様々な形態を取ることができる。たとえば、いくつかの態様では、ブロック４１０において、ノード６０４は、ページングメッセージ（たとえば、プリアンブルおよびヘッダを備える単純なメッセージ）、またはデータパケットを走査する。
【００４７】
ブロック４１４で表されるように、ブロック４１２においてページングメッセージが受信された場合、ノード６０４はページングメッセージが受信されたことをページングノード（たとえば、ノード６０２）に通知するために応答を送信する。ここで、ノード６０４のメッセージコントローラ６３２は、適切なチャネルを介してページング応答を送信するために送信機６１６と協働することができる。
【００４８】
場合によっては、ノード６０４は、ブロック４１０における走査中に２つ以上のノードからページングメッセージを受信することがある。これらの場合、すべてのページングノードが聴取することができる単一のページング応答を与えるようにノード６０４を構成することができる。たとえば、図１のノード１０２が所与の走査期間中にノード１０４からのページングメッセージと、ノード１０６からのページングメッセージとを受信した場合、ブロック４１４において、ノード１０２および１０４が聴取することができる単一のページング応答を送信するようにノード１０２を構成することができる。このようにして、すべてのページングノードは、ノード６０４がアクティブ状態に遷移している、またはアクティブ状態であることに気づくことができ、後述するように、ノード６０４のタイミングを収集することができる。
【００４９】
この目的で、ページングノードの各々がその単一のページング応答を受信するように、ページング応答の継続時間を定義することができる。たとえば、ページングノードの相対ページング応答走査時間期間に基づいてページング応答のプリアンブルの長さを定義することができる。ページング応答走査期間は、ページングノードがページングメッセージに対する応答を走査する、ページングメッセージの送信後の時間期間である。ここで、あるページングノードは、ノード６０４の走査期間の開始の近くでそのページングメッセージを送信することができ、別のノードは、ノード６０４の走査期間の終了の近くでそのページングメッセージを送信することができることを諒解されたい。したがって、プリアンブルの長さは少なくとも受信ノードの走査期間（たとえば、期間３０４Ｂ）の長さであり、その走査期間後しばらくしてから終了するように定義できる。このようにして、ノード６０４の走査期間中にページングメッセージを送信するページングノードは、ページングノードのページング応答走査期間中に（たとえば、繰返しシーケンスを備える）ページング応答プリアンブルの少なくとも一部分を受信することができる。いくつかの態様では、ページング応答プリアンブルの長さを標準のパケットよりも長く定義することができる。場合によっては、複数のノードがページング応答を聴取することを可能にするために、ページング応答を、指定されたチャネル（たとえば、すべてのノードに共通のブロードキャストチャネル）上で送信することができる。
【００５０】
いくつかの態様では、ページング応答は、ページングノードが、たとえば、ノード６０４の状態タイミングを判断するために使用することができるタイミング情報を備えることができる。たとえば、ノード６０４は、ノード６０４の待機間隔タイミング３０６（図３）および／または周期的間隔タイミング３０２に相関された（たとえば、直後の）時間にページング応答を送信する。ノード６０４はまた、待機および／または周期的走査間隔タイミングを示す情報をページング応答中に含めることができる。たとえば、そのような情報は、ページング応答の送信と、待機および／または周期的走査間隔境界との間の時間量を示すタイミングオフセット値を備える。
【００５１】
次に図４Ｂのブロック４１６を参照すると、ブロック４１２における信号の受信に応答して、ノード６０４は、アクティブ状態に遷移し、チャネルの断続アクティブ走査を開始する。そのような状態遷移は、たとえば、ブロック４１２におけるページングメッセージの受信時に、またはブロック４１４においてページングメッセージに肯定応答した後に、状態コントローラ６２８の動作によって実施できる。この場合も、ノード６０４のアクティブ状態への遷移は、システム中の他のノードの状態遷移とは独立して実行できる。たとえば、この状態遷移は、状態遷移コマンドの受信に基づくのではなく、単にブロック４１２における信号の受信に基づくことができる。
【００５２】
上述のように、タイムアウト期間（たとえば、ＴＯ１）を、アクティブ状態に関連付けることができる。いくつかの態様では、このタイムアウト期間はタイマ／カウンタ６３０によって管理できる。たとえば、アクティブ状態の開始において、タイマ／カウンタ６３０は、タイムアウトが起こったかどうかを示すために使用されるタイマのカウントまたはカウンタのカウント（たとえば、走査カウント）をリセットする。
【００５３】
ブロック４１８で表されるように、タイムアウト期間よりも大きいかまたはそれに等しい時間期間の間、シグナリングアクティビティ（たとえば、パケットまたは他の形態のデータの受信に関係するデータ転送アクティビティ）がなかった場合、ノード６０４は周期的状態に遷移する。この場合も、ノード６０４の周期的状態への遷移は、システム中の他のノードの状態遷移とは独立して実行できる。したがって、ノード６０４は単独で状態を切り替えることを判断することができ、ノード６０４がその状態に遷移するときに、ノード６０４に関連する送信ノードは、必ずしも周期的状態に遷移するわけではない。周期的状態について、図４Ｃに関連して以下でより詳細に説明する。
【００５４】
ブロック４１８においてタイムアウトがなかった場合、ノード６０４はそのアクティブ走査を続ける。図３では、この断続アクティブ走査は、アクティブ状態の間のハッチングされたエリアによって表される。いくつかの態様では、この断続走査のデューティサイクルは、１００％（すなわち、連続走査）、または１００％未満（たとえば、周期的走査）とすることができる。
【００５５】
後者の場合の一例として、ノード６０４は、アクティブ状態の間、この時間中に送信されるパケットを確実に受信するように、繰り返し走査する。たとえば、ノード６０４は、関連する送信ノードによって送信される各信号（たとえば、データパケット）のプリアンブルシーケンスの継続時間未満の間隔で走査することができる。言い換えれば、アクティブ走査間隔は、非同期パケット（たとえば、アクティブ状態の間の任意の時間に送信されるパケット）のプリアンブルをキャプチャするのに十分高い走査レートに対応することができる。このようにして、パケットがアクティブ状態の間に送信されたとき、ノード６０４はプリアンブルシーケンスを受信し、パケットの残りの走査を（たとえば、１００％デューティサイクルで）開始することができる。
【００５６】
図４Ｂのブロック４２０で表されるように、したがって、アクティブ状態の間の走査はアクティブ走査間隔に基づくことができ、それによりノード６０４は、指定された走査期間の間にチャネルを走査する（ブロック４２２）ために、次のアクティブ走査間隔（図３には図示せず）まで待機する。上記と同様の方法で、タイマ／カウンタ６３０は、アクティブ状態のためのタイミング間隔シグナルを与えることができる。
【００５７】
断続アクティブ走査がアクティブ走査間隔を採用しない場合、ブロック４２２の走査は、代わりに１００％デューティサイクル走査に関することができる。この場合、受信機６１２は、全アクティブ走査期間の間、アクティブにされる。
【００５８】
ブロック４２４で表されるように、ブロック４２２における走査の結果として信号（たとえば、パケット）が受信されなかった場合、タイムアウト条件に達するまで、または信号が受信されるまで、ノード６０４はアクティブ走査を続ける。上述のように、タイムアウト期間は、定義された時間期間または定義された走査数に基づくことができる。後者の場合の一例として、ノード６０４がアクティブ状態の間に周期的走査を採用するとき、定義された走査数（たとえば、４または５回）の間に信号が受信されなかったとき、タイムアウトが示される。
【００５９】
ブロック４２４において信号が受信された場合、ブロック４２６において、ノード６０４はタイムアウトカウントをリセットする（たとえば、タイマまたはカウンタを０にリセットする）。このようにして、タイムアウト期間が延長される（たとえば、図３のＴＯ１が右にシフトする）。
【００６０】
ブロック４２８で表されるように、ノード６０４は、アクティブ状態にある間、別のノードからページングメッセージを受信することができる。たとえば、しばらくノード６０４と通信しなかった送信ノードは、ノード６０４の現在の状態を知ることができない。したがって、その送信ノードは待機状態にあるとすることができ、したがってノード６０４との通信を確立することを望むときに、ページングメッセージを送信することができる。
【００６１】
ブロック４３０で表されるように、ブロック４２８においてページングメッセージが受信された場合、ノード６０４はページング応答を送信する。ページングメッセージはアクティブ状態の間の任意の時間に受信できるので、（たとえば、待機状態の場合のように）待機および／または周期的走査間隔境界に対応する時間にページング応答を送信することはできない。したがって、このページング応答のタイミングが待機走査間隔タイミングに相関されるとページングノードが考えないように、ノード６０４は、ブロック４１４において送信されるページング応答と異なる方法で、このページング応答を標示することができる。
【００６２】
場合によっては、ブロック４３０において送信されるページング応答は、ノード６０４の状態タイミングを判断するためにページングノードが使用することができるタイミング情報を備えることができる。たとえば、ノード６０４は、ノードの間隔タイミングに相関された（たとえば、同期された）時間にページング応答を送信する。図３を参照すると、ノード６０４は（たとえば、期間３１２で表される）周期的走査間隔のタイミングと一致する時間、および／または待機走査間隔のタイミングと一致する時間にページング応答を送信することができる。場合によっては、ノード６０４は、間隔タイミングを示す情報をページング応答中に含めることができる。たとえば、この情報は、ページング応答の送信の時間と走査間隔境界との間（たとえば、待機走査間隔境界および／または周期的走査間隔境界からの時間）のタイミングオフセットを示すことができる。
【００６３】
また、ブロック４２８において所与の時間期間内に複数のページングメッセージが受信された場合、ブロック４３０において、ノードは単一のページング応答を送信することができる。たとえば、これは、ブロック４１４に関連して上述したものと同様の動作を含むことができる。
【００６４】
ブロック４３２で表されるように、ブロック４２８においてページングメッセージが受信されなかった（たとえば、信号がデータパケットであった）場合、ノード６０４は信号の受信に肯定応答するメッセージを送信する。たとえば、メッセージコントローラ６３２は、肯定応答パケットを送信するために送信機６１６と協働することができる。
【００６５】
ページング応答または肯定応答を送信した後、動作フローはブロック４１８に戻り、それによりノード６０４は、チャネルをアクティブに走査し続ける。したがって、アクティブ状態タイムアウトが起こるまで、ノード６０４は上記の動作を繰り返し実行することができる。
【００６６】
次に図４Ｃのブロック４３４を参照すると、アクティブ状態タイムアウトタイマの満了時に、または定義されたタイムアウト走査カウントに達したときに周期的状態に遷移した後、ノード６０４はチャネルの周期的走査を開始する。たとえば、そのような遷移は、状態コントローラ６２８が周期的状態に関連するタイミング間隔パラメータをタイマ／カウンタ６３０にロードすることを含む。この場合も、ノード６０４は、（たとえば、単に信号を受信できなかったことに基づいて）周期的状態に遷移すべきかどうかを独立して判断することができる。
【００６７】
上述のように、タイムアウト期間（たとえば、ＴＯ２）を、周期的状態に関連付けることができる。したがって、周期的状態の開始において、タイマ／カウンタ６３０は、タイムアウトが起こったかどうかを示すために使用されるタイマのカウントまたはカウンタのカウント（たとえば、走査カウント）をリセットすることができる。
【００６８】
ブロック４３６で表されるように、タイムアウト条件が満たされた場合、ノード６０４は待機状態に遷移する。したがって、タイマベースのタイムアウトを使用する実装形態において、周期的タイムアウト期間よりも大きいかまたはそれに等しい時間期間の間、シグナリングアクティビティ（たとえば、データ転送）がなかった場合、待機状態はタイムアウトする。代替的に、走査カウントベースのタイムアウトを使用する実装形態において、たとえば、最後のシグナリングアクティビティ以後に、定義された周期的走査数（たとえば、４または５回）が実行された場合、待機状態はタイムアウトする。
【００６９】
ブロック４３６においてタイムアウトがなかった場合、ノード６０４はチャネルを周期的走査し続ける。ブロック４３８で表されるように、周期的状態の間の走査は周期的走査間隔に基づくことができ、それによりノード６０４は、チャネルを走査するために、次の周期的走査間隔（たとえば、図３中の間隔３０２）まで待機する。
【００７０】
タイムアウトが起こる前に走査間隔境界に達した場合、ブロック４４０において、ノード６０４はトランシーバ６０８を一時的にアクティブにして、指定された走査期間（たとえば、期間３０４Ａ）の間にチャネルを走査する。適用可能な場合、ノード６０４は、この時点で走査カウントを増分する。
【００７１】
ブロック４４２で表されるように、ブロック４４０における走査の結果として信号（たとえば、パケット）が受信されなかった場合、動作フローはブロック４３６に戻る。したがって、タイムアウト条件に達するまで、または信号が受信されるまで、ノード６０４は周期的走査を続けることができる。
【００７２】
ブロック４４４で表されるように、ブロック４４２において信号が受信された場合、ノード６０４は信号の受信に肯定応答するメッセージを送信する（たとえば、データパケットに肯定応答する）。次いで、ノードは、待機状態タイムアウトタイマ／カウンタを無効化し、追加のパケットをアクティブに走査するために、アクティブ状態に遷移することができる。
【００７３】
受信信号が（たとえば、ノード６０４の状態を知らない送信ノードからの）ページングメッセージであった場合、ブロック４４４において、ノード６０４はページング応答を送信する。いくつかの態様では、この動作は、ブロック４３０における上述の動作と同様であるとすることができる。たとえば、応答はノード６０４の間隔タイミングを示し、周期的走査期間中に複数のページングメッセージが受信された場合には、単一の応答が送信される。
【００７４】
次に図５Ａの送信ノード動作を参照すると、ブロック５０２で表されるように、送信ノード６０２（たとえば、ノード６０２のタイミングコントローラ６３４）は、ノードタイプに基づいてチャネル通信のための１つまたは複数のデューティサイクルパラメータを選択する。これらの動作は、ブロック４０２に関連して上述したパラメータ選択動作と同様である、および／またはそれらを補足することができる。
【００７５】
図６に示すように、ノード６０２はまた、タイミング間隔６３６、タイミングオフセット６３８、およびノードタイプ６４０など、チャネル情報をデータメモリ６４２に記憶することができる。この場合も、この情報は、上述したデータメモリ６２０に記憶された情報と同様である、および／またはそれを補足することができる。
【００７６】
ブロック５０４で表されるように、ある時点において（たとえば、始動後、または、本明細書で論じる何らかの他の時間において）、ノード６０２は待機状態に遷移する。ノード６０４と同様に、ノード６０２は、ノード６０２の現在の状態を制御する（たとえば、状態機械を備える）状態コントローラ６４４を含むことができる。ここで、状態コントローラ６４４の動作（たとえば、状態間の遷移）は、たとえば、ノード６０２のために定義された状態図２００のインスタンスに関連する状態に基づくことができる。
【００７７】
いくつかの態様では、ノード６０２の状態遷移はまた、システム中の他のノードの状態遷移とは独立して実行される。この場合も、特定の状態に切り替わるようにノード６０２に命令する別のノードからのコマンドに応答してその状態を遷移するのではなく、ノード６０２自体がいつ状態を遷移するかについて判断する。たとえば、ブロック５０４において、ノード６０２は、ノード６０２が検出したいくつかのイベント（たとえば、信号送信がないこと）に基づいて、およびノード６０２が維持する情報（たとえば、状態図２００のノード６０２自体のインスタンス）に基づいて待機状態に遷移するかどうかに関して判断を行う。いくつかの態様では、ノード６０２による状態を変更する決定は、関連する受信ノードの現在の状態の推定に基づく。たとえば、（たとえば、信号送信がないこと、または送信に対する受信された応答がないことに関する）収集した情報に基づいて、ノード６０２は、関連する受信ノード（たとえば、ノード６０４）の状態遷移の一部または全部を模倣しようと試みることがある。したがって、ノード６０２は、ノード６０４が待機状態または何らかの他の状態に遷移したと判断（たとえば、推定）したときはいつでも、その状態に遷移することができる。ここで、ノード６０２に関連する受信ノードがノード６０４と同時に所与の状態にあることができるが、常にそうであるとは限らない。
【００７８】
ブロック５０６で表されるように、その関連する受信ノードに送信すべき情報（たとえば、データ）を有するまで、ノード６０２は待機状態のままである。待機状態の間、大体の場合、ノード６０２は、（たとえば、トランシーバ６０６の）１つまたは複数の構成要素が電源切断されるか、または電力低減モードになる低電力モードである。
【００７９】
ブロック５０８およびブロック５１０で表されるように、ノード６０２は、送信すべき情報を有するとき、受信ノードからのページングメッセージに対する応答を受信するまで、ページングメッセージを繰り返し送信する。図６の例では、メッセージコントローラ６４６は、他のノードにメッセージを送信し、受信したメッセージを処理するためにトランシーバ６０６と協働することができる。
【００８０】
ブロック５１２で表されるように、ノード６０２（たとえば、タイミングコントローラ６３４）は、ページング応答の受信に基づいてそのデューティサイクルタイミング境界を定義する。たとえば、上述のように、受信ノードは、（たとえば、待機状態または周期的状態の）走査間隔境界に相関された時間にページング応答を送信することができる。したがって、ノード６０２は、受信ノードのデューティサイクル間隔タイミングを判断するために、ページング応答の受信の時間を使用することができる。また上述のように、ページング応答は、ページング応答の送信時間を周期的および／または待機状態走査タイミングに関連させるタイミングオフセット情報を含むことができる。場合によっては、タイミングオフセットの値は、周期的走査境界と待機走査境界の両方に共通する（たとえば、同じ）とすることができる。
【００８１】
したがって、ページングメッセージまたは何らかの他の適切な信号の受信の時間に同期させること（および随意に、受信したタイミングオフセット指示に基づいて同期させること）によって、ノード６０２は、周期的状態においていつ信号（たとえば、パケット）を送信すべきか判断すること、待機状態においていつ信号（たとえば、ページングメッセージ）を送信すべきか判断すること、または何らかの他のタイミングベースの動作をいつ実行すべきか判断することができる。この目的で、ノード６０２は、タイミング間隔信号をノード６０２に与えるタイマおよび／またはカウンタ（タイマ／カウンタ６４８）を採用することができる。
【００８２】
ページング応答を受信すると、図５Ｂのブロック５１４で表されるように、ノード６０２はアクティブ状態に遷移する。この場合も、いくつかの態様では、この状態遷移は、システム中の他のノードの状態遷移とは独立している。たとえば、ノード６０２は、（たとえば、その関連する受信ノードからのページング応答のノード６０２の受信によって示される、受信ノードがアクティブ状態であるという判断に基づいて）アクティブ状態に遷移すべきかどうかを独立して判断することができる。
【００８３】
上述のように、タイムアウト期間（たとえば、ＴＯ１）を、アクティブ状態に関連付けることができる。したがって、ノード６０２のアクティブ状態の開始において、タイマ／カウンタ６４８は、タイムアウトが起こったかをどうかを示すために使用されるタイマのカウントをリセットすることができる。また、上述のように、このタイムアウト期間は、定義された時間期間、またはアクティブ状態走査の定義された量に関連する時間期間に基づくことができる。
【００８４】
ブロック５１６で表されるように、タイムアウト期間よりも大きいかまたはそれに等しい時間期間の間、シグナリングアクティビティ（たとえば、パケットまたは他の形態のデータの送信に関係するデータ転送アクティビティ）がなかった場合、ノード６０２は周期的状態に遷移する。この場合も、ノード６０２は、（たとえば、その関連する受信ノードが周期的状態にあるという判断をもたらす、シグナリングがないことに基づいて）周期的状態に遷移すべきかどうかを独立して判断することができる。ノード６０２の周期的状態について、図５Ｃに関連して以下でより詳細に説明する。
【００８５】
ブロック５１６においてタイムアウトがなかった場合、ブロック５１８において、ノード６０２はその関連する受信ノードに送信すべき情報（たとえば、データパケットなど）を有するかどうかを判断する。有しない場合、送信すべき情報があるまで、またはタイムアウトが起こるまで、ブロック５１６およびブロック５１８の動作を繰り返す。ブロック５１８において送信すべき情報があった場合、ブロック５２０において、ノード６０２はトランシーバ６０６を一時的にアクティブにして、信号を送信する。
【００８６】
ブロック５２２で表されるように、ノード６０２は、信号の受信に肯定応答する受信ノードからのメッセージを待つ。ここで、メッセージコントローラ６４６は、受信した肯定応答メッセージを処理するために受信機６１０と協働することができる。
【００８７】
（便宜のためにブロック５１６への動作フローによって表されるように）アクティビティタイムアウトが起こる前に肯定応答が受信されなかった場合、ノード６０２は上述のように周期的状態に遷移する。したがって、この例は、ノード６０２は、タイムアウト期間内に特定の信号（たとえば、メッセージ）を受信した場合、現在の状態のままであり、またはノード６０２は、タイムアウト期間内にその信号を受信しなかった場合、状態を変更することを示す。また、場合によっては、定義された時間量内に肯定応答が受信されなかった場合、ノード６０２は何らかの形態のエラー回復動作（たとえば、パケット再送信）を実行することができる。ノード６０２は、（たとえば、ブロック５２０で表されるように）所与のタイムアウト期間内に１つまたは複数の送信を実行することができる。特定の実装形態に応じて、ノード６０２は、追加の信号（たとえば、メッセージ）を送信する前に肯定応答を待つか、または１つまたは複数の肯定応答を待ちながら信号を送信し続けることができる。
【００８８】
ブロック５２２において肯定応答を受信した場合、ブロック５２４において、ノード６０２はタイムアウトカウントをリセットする。次いで、動作フローはブロック５１６に戻り、それによりノード６０２は、アクティブ状態で情報（たとえば、データ）を送信し続ける。
【００８９】
次に図５Ｃのブロック５２６を参照すると、上述のように、ノード６０２は、そのアクティブ状態タイムアウトタイマの満了時に周期的状態に遷移する。たとえば、そのような遷移は、状態コントローラ６４４が周期的状態に関連するタイミング間隔パラメータをタイマ／カウンタ６４８にロードすることを含む。この場合も、ノード６０２は、（たとえば、その関連する受信ノードが周期的状態にあるという判断をもたらす、シグナリングアクティビティがないことに基づいて）周期的状態に遷移すべきかどうかを独立して判断することができる。
【００９０】
上述のように、定義された時間期間または定義された走査数に関連付けられたタイムアウト期間（たとえば、ＴＯ２）を、周期的状態に関連付けることができる。したがって、周期的状態の開始において、タイマ／カウンタ６４８は、タイムアウトが起こったかどうかを示すために使用されるタイマのカウントをリセットすることができる。
【００９１】
ブロック５２８で表されるように、周期的タイムアウト期間よりも大きいかまたはそれに等しい時間期間の間、シグナリングアクティビティ（たとえば、データ転送）がなかった場合、待機状態はタイムアウトする。したがって、この場合、ノード６０２は待機状態に遷移する。この場合も、ノード６０２は、待機状態に遷移すべきかどうかについてそれ自体の独立した判断を行うことができる。
【００９２】
ブロック５２８においてタイムアウトがなかった場合、ノード６０２はその周期的状態動作を続ける。したがって、ブロック５３０で表されるように、ノード６０２は、それが送信すべき情報（たとえば、データパケット）を有するかどうかを判断する。有する場合、ブロック５２８において介在タイムアウトがなかったとすれば、ノード６０２は、関連する受信ノードの周期的走査時間に対応する次の周期的状態境界まで待機し（ブロック５３２）、次の周期的状態境界においてトランシーバ６０６を一時的にアクティブにして、対応する信号を送信する（ブロック５３４）。
【００９３】
ブロック５３４においてノード６０２が信号を送信した場合、ブロック５３６において、ノード６０２は、（たとえば、アクティビティタイムアウトを監視し、ブロック５２２に関連して上述したことと同様に、随意に信号を送信し続けながら）肯定応答を待つ。また上述のように、定義された時間期間内に肯定応答が受信されなかった場合、ノード６０２は随意にエラー回復動作を実行する。タイムアウトが起こる前にブロック５３６において肯定応答が受信された場合、受信ノードへのアクティブ（たとえば、非同期）送信を開始するためにノード６０２はアクティブ状態に遷移する。
【００９４】
以上から、このデューティサイクリング方式は、（たとえば、ブロック４１２、４４２、および５３４において、）送信ノードおよび受信ノードがより低いデューティサイクル状態にあるときのデータ転送を可能にすることを諒解されたい。さらに、この方式は、後続のデータ転送のより効率的な処理を可能にするために、より低いデューティサイクル状態からより高いデューティサイクル状態に移行するための機構を与える。
【００９５】
本明細書の教示は、様々な方法で実装できる。たとえば、ノードは様々な基準に基づいて状態間で遷移することができる。また、デューティサイクルタイミングパラメータを判断するために、異なる基準を使用することができる。
【００９６】
いくつかの態様では、所与の実装形態は、デューティサイクルの２つ、３つ、またはそれ以上のレベルを利用することができる。デューティサイクルの数を「ｍ」デューティサイクルと指定して、システムにおけるデューティサイクリングを、たとえば、レベル１＝ｘ１％デューティサイクリング、レベル２＝ｘ２％デューティサイクリング、．．．、レベルｍ＝ｘｍ％デューティサイクリング（ただしｘｍ＜．．．＜ｘ２＜ｘ１）と定義することができる。最後のパケット送信／受信の後、最初に受信ノードは、第１のタイムアウト期間（たとえば、ＴＯ１）の間、デューティサイクルｘ１でチャネル走査を実行し、次いで、受信ノードは、第２のタイムアウト期間（たとえば、ＴＯ２）の間、デューティサイクルｘ２でチャネル走査を実行し、以下同様に実行する。
【００９７】
いくつかの態様では、所与の状態は、（たとえば、チャネル走査を実行するための）複数のデューティサイクルレベルを有することができる。たとえば、上述のアクティブ状態および待機状態のデューティサイクリングは、アクティブ状態デューティサイクリングの２つの異なるレベルと見なすことができる。ここで、ノードは、パケット転送にアクティブに携わらない待機状態で動作すること、またはパケット転送にアクティブに携わるアクティブ状態で動作することができる。アクティブ状態では、受信ノードは、最後のデータパケットの送信／受信の後に来るタイムアウト期間ＴＯ１の間、チャネルを断続的に走査することができる。次いで、受信ノードは、待機状態に戻る前に、タイムアウト期間ＴＯ２の間、間隔３０２に基づいて周期的にチャネルを走査することができる。したがって、この場合、アクティブ状態は、比較的断続的なデータ転送に対してハイレベルのデューティサイクリングをサポートし、それほど断続的ではないデータフローを処理するときに、電力を節約するためにより低いレベルのデューティサイクリングをサポートするように定義できる。したがって、アクティブ状態の全体的なデューティサイクルは、１００％未満であるが、待機状態のデューティサイクルよりも大きいとすることができる。
【００９８】
本明細書の教示は、少なくとも１つの他のデバイスと通信するための様々な構成要素を採用するデバイスに組み込むことができる。図７に、デバイス間の通信を可能にするために採用されるいくつかの例示的な構成要素を示す。ここで、第１のデバイス７０２および第２のデバイス７０４は、好適な媒体上のワイヤレス通信リンク７０６を介して通信するように適合される。
【００９９】
最初に、デバイス７０２からデバイス７０４へ（たとえば、逆方向リンク）の情報の送信に関与する構成要素について論じる。送信（「ＴＸ」）データプロセッサ７０８は、データバッファ７１０または何らかの他の好適な構成要素からトラフィックデータ（たとえば、データパケット）を受信する。送信データプロセッサ７０８は、選択されたコーディングおよび変調方式に基づいて各データパケットを処理（たとえば、符号化、インターリーブ、およびシンボルマッピング）し、データシンボルを与える。一般に、データシンボルはデータの変調シンボルであり、パイロットシンボルは（アプリオリに知られる）パイロットの変調シンボルである。変調器７１２は、データシンボル、パイロットシンボル、場合によっては逆方向リンクのためのシグナリングを受信し、変調（たとえば、ＯＦＤＭまたは何らかの他の好適な変調）および／またはシステムによって指定された他の処理を実行し、出力チップストリームを与える。送信機（「ＴＭＴＲ」）７１４は、出力チップストリームを処理（たとえば、アナログに変換、フィルタリング、増幅、および周波数アップコンバート）し、変調信号を生成し、これが次いでアンテナ７１６から送信される。
【０１００】
（デバイス７０４と通信中の他のデバイスからの信号とともに）デバイス７０２によって送信される変調信号は、デバイス７０４のアンテナ７１８によって受信される。受信機（「ＲＣＶＲ」）７２０は、アンテナ７１８からの受信信号を処理（たとえば、調整およびデジタル化）し、受信サンプルを与える。復調器（「ＤＥＭＯＤ」）７２２は、受信サンプルを処理（たとえば、復調および検出）し、（１つまたは複数の）他のデバイスによってデバイス７０４に送信されたデータシンボルのノイズの多い推定値である場合がある検出データシンボルを与える。受信（「ＲＸ」）データプロセッサ７２４は、検出データシンボルを処理（たとえば、シンボルデマッピング、デインターリーブ、および復号）し、各送信デバイス（たとえば、デバイス７０２）に関連付けられた復号データを与える。
【０１０１】
次に、デバイス７０４からデバイス７０２へ（たとえば、順方向リンク）の情報の送信に関与する構成要素について論じる。デバイス７０４において、トラフィックデータが送信（「ＴＸ」）データプロセッサ７２６によって処理されて、データシンボルが生成される。変調器７２８は、データシンボル、パイロットシンボルおよび順方向リンクのためのシグナリングを受信し、変調（たとえば、ＯＦＤＭまたは何らかの他の好適な変調）および／または他の適切な処理を実行し、出力チップストリームを与え、これがさらに送信機（「ＴＭＴＲ」）７３０によって調整され、アンテナ７１８から送信される。いくつかの実装形態では、順方向リンクのためのシグナリングは、逆方向リンク上でデバイス７０４に送信するすべてのデバイス（たとえば、端末）のために、コントローラ７３２によって生成される電力制御コマンドおよび（たとえば、通信チャネルに関する）他の情報を含む。
【０１０２】
デバイス７０２において、デバイス７０４によって送信された変調信号が、アンテナ７１６によって受信され、受信機（「ＲＣＶＲ」）７３４によって調整およびデジタル化され、復調器（「ＤＥＭＯＤ」）７３６によって処理されて、検出データシンボルが得られる。受信（「ＲＸ」）データプロセッサ７３８は、検出データシンボルを処理し、デバイス７０２のための復号データおよび順方向リンクシグナリングを与える。コントローラ７４０は、電力制御コマンドおよび他の情報を受信して、データ送信を制御し、デバイス７０４への逆方向リンク上の送信電力を制御する。
【０１０３】
コントローラ７４０および７３２は、それぞれデバイス７０２およびデバイス７０４の様々な動作を指示する。たとえば、コントローラは、フィルタについての情報を報告して適切なフィルタを決定し、フィルタを使用して情報を復号することができる。データメモリ７４２および７４４は、それぞれコントローラ７４０および７３２によって使用されるプログラムコードおよびデータを記憶することができる。
【０１０４】
図７はまた、通信構成要素が、本明細書で教示するデューティサイクル動作を実行する１つまたは複数の構成要素を含むことができることを示す。たとえば、デューティサイクル制御構成要素７４６は、コントローラ７４０および／またはデバイス７０２の他の構成要素と協働して、別のデバイス（たとえば、デバイス７０４）に／から情報を送信／受信することができる。同様に、デューティサイクル制御構成要素７４８は、コントローラ７３２および／またはデバイス７０４の他の構成要素と協働して、別のデバイス（たとえば、デバイス７０２）に／から情報を送信／受信することができる。各デバイス７０２および７０４について、記載の構成要素の２つ以上の機能が単一の構成要素によって提供できることを諒解されたい。たとえば、単一の処理構成要素がデューティサイクル制御構成要素７４６およびコントローラ７４０の機能を提供し、単一の処理構成要素がデューティサイクル制御構成要素７４８およびコントローラ７３２の機能を提供することができる。
【０１０５】
ワイヤレスデバイスは、ワイヤレスデバイスにおいて送信機によって送信または受信機によって受信される信号（たとえば、データ）に基づいて機能を実行する様々な構成要素を含むことができる。たとえば、ワイヤレスヘッドセットは、受信機によって受信されたデータ、または本明細書で説明する状態のうちの１つまたは複数の間に受信されたデータに基づいてオーディオ出力を与えるように適合された変換器を含むことができる。ワイヤレス時計は、受信機によって受信されたデータ、または本明細書で説明する状態のうちの１つまたは複数の間に受信されたデータに基づいて指示を与えるように適合されたユーザインターフェースを含むことができる。ワイヤレス感知デバイスは、送信機が送信すべきデータ、または本明細書で説明する状態のうちの１つまたは複数の間に送信すべきデータを与えるように適合されたセンサを含むことができる。
【０１０６】
ワイヤレスデバイスは、好適なワイヤレス通信技術に基づくあるいはサポートする１つまたは複数のワイヤレス通信リンクを介して通信することができる。たとえば、いくつかの態様では、ワイヤレスデバイスはネットワークに関連することができる。いくつかの態様では、ネットワークは、超広帯域（「ＵＷＢ」）技術または何らかの他の適切な技術を使用して実装された、（たとえば、３０メートル程度のワイヤレスカバレージエリアをサポートする）パーソナルエリアネットワーク、または（たとえば、１０メートル程度のワイヤレスカバレージエリアをサポートする）ボディエリアネットワークを備えることができる。いくつかの態様では、ネットワークはローカルエリアネットワークまたはワイドエリアネットワークを備えることができる。ワイヤレスデバイスは、たとえば、ＣＤＭＡ、ＴＤＭＡ、ＯＦＤＭ、ＯＦＤＭＡ、ＷｉＭＡＸ、Ｗｉ−Ｆｉなど、１つまたは複数の様々なワイヤレス通信技術、プロトコル、または標準をサポートあるいは使用することができる。同様に、ワイヤレスデバイスは１つまたは複数の様々な対応する変調方式または多重化方式をサポートあるいは使用することができる。したがって、ワイヤレスデバイスは、上記または他のワイヤレス通信技術を使用して１つまたは複数のワイヤレス通信リンクを確立し、それを介して通信するために適切な構成要素（たとえば、エアインターフェース）を含む。たとえば、デバイスは、ワイヤレス媒体上の通信を可能にする様々な構成要素（たとえば、信号発生器および信号処理器）を含むことができる関連する送信機構成要素および受信機構成要素（たとえば、送信機６１４および６１６ならびに受信機６１０および６１２）とともにワイヤレストランシーバを備えることができる
いくつかの態様では、ワイヤレスデバイスは、パルスベースの（たとえば、インパルスベースの）ワイヤレス通信リンクを介して通信することができる。たとえば、インパルスベースのワイヤレス通信リンクは、比較的短い長さ（たとえば、数ナノ秒程度以下）および比較的広い帯域幅を有する超広帯域パルスを利用することができる。いくつかの態様では、超広帯域パルスを、２０％程度もしくはそれ以上の比帯域幅を有する、および／または５００ＭＨｚ程度もしくはそれ以上の帯域幅を有することができる。
【０１０７】
本明細書の教示は、様々な装置（たとえば、デバイス）に組み込む（たとえば、装置内に実装する、または装置によって実行する）ことができる。たとえば、本明細書で教示する１つまたは複数の態様は、電話（たとえば、セルラー電話）、携帯情報端末（「ＰＤＡ」）、娯楽デバイス（たとえば、音楽またはビデオデバイス）、ヘッドセット（たとえば、ヘッドホン、イヤピースなど）、マイクロホン、医療感知デバイス（たとえば、生体センサ、心拍数モニタ、歩数計、ＥＫＧデバイス、スマートバンデージなど）、ユーザＩ／Ｏデバイス（たとえば、時計、遠隔制御装置、照明スイッチ、キーボード、マウスなど）、環境感知デバイス（たとえば、タイヤ空気圧モニタ）、コンピュータ、販売時点管理デバイス、娯楽デバイス、補聴器、セットトップボックス、または他の好適なデバイスに組み込むことができる。
【０１０８】
これらのデバイスは、異なる電力およびデータ要件を有することができる。いくつかの態様では、本明細書の教示は、（たとえば、インパルスベースのシグナリング方式および低デューティサイクルモードを使用して）低電力適用例で使用するように適用でき、（たとえば、高帯域パルスを使用して）比較的高いデータレートを含む様々なデータレートをサポートすることができる。
【０１０９】
いくつかの態様では、ワイヤレスデバイスは、通信システムのためのアクセスデバイス（たとえば、ボディエリアネットワークまたはパーソナルエリアネットワークのためのアクセスポイント）を備えることができる。そのようなアクセスデバイスは、たとえば、ワイヤードまたはワイヤレス通信リンクを介して別のネットワーク（たとえば、インターネットまたはセルラネットワークなどワイドエリアネットワーク）への接続性を提供することができる。したがって、アクセスデバイスは、別のデバイス（たとえば、ボディエリアネットワークまたはパーソナルエリアネットワークのためのアクセス端末）が他のネットワークまたは何らかの他の機能にアクセスできるようにすることができる。さらに、一方または両方のデバイスはポータブルでも、場合によっては比較的非ポータブルでもよいことを諒解されたい。
【０１１０】
本明細書で説明する構成要素は、様々な方法で実装できる。図８および図９を参照すると、装置８００および９００が、たとえば、１つまたは複数の集積回路（たとえば、ＡＳＩＣ）によって実装される機能を表す、または本明細書で教示する何らかの他の方法で実装できる一連の相互に関係する機能ブロックとして表されている。本明細書で論じるように、集積回路は、プロセッサ、ソフトウェア、他の構成要素、またはそれらの何らかの組合せを含むことができる。
【０１１１】
装置８００および９００は、様々な図に関して上述した１つまたは複数の機能を実行することができる１つまたは複数のモジュールを含むことができる。たとえば、走査または受信用ＡＳＩＣ８０２は、たとえば、本明細書で論じる受信機６１２に対応することがある。状態遷移用ＡＳＩＣ８０４は、たとえば、本明細書で論じる状態コントローラ６２８に対応することがある。タイミング相関用ＡＳＩＣ８０６は、たとえば、本明細書で論じるタイミングコントローラ６１８に対応することがある。送信用ＡＳＩＣ８０８は、たとえば、本明細書で論じる送信機６１６に対応することがある。送信用ＡＳＩＣ９０２は、たとえば、本明細書で論じる送信機６１４に対応することがある。受信または走査用ＡＳＩＣ９０４は、たとえば、本明細書で論じる受信機６１０に対応することがある。送信時間定義またはタイミング同期用ＡＳＩＣ９０６は、たとえば、本明細書で論じるタイミングコントローラ６３４に対応することがある。状態遷移用ＡＳＩＣ９０８は、たとえば、本明細書で論じる状態コントローラ６４４に対応することがある。
【０１１２】
上記のように、いくつかの態様では、これらの構成要素は、適切なプロセッサ構成要素により実装できる。これらのプロセッサ構成要素は、いくつかの態様では、少なくとも部分的には本明細書で教示する構造を使用して実装できる。いくつかの態様では、プロセッサは、これらの構成要素のうちの１つまたは複数の機能の一部もしくはすべてを実装するように適応できる。いくつかの態様では、破線の囲みによって表される１つまたは複数の構成要素は任意選択である。
【０１１３】
上記のように、装置８００および９００は、１つまたは複数の集積回路を備えることができる。たとえば、いくつかの態様では、単一の集積回路は、示された構成要素のうちの１つまたは複数の機能を実装することができ、一方、他の態様では、２つ以上の集積回路は、示された構成要素のうちの１つまたは複数の機能を実装することができる。
【０１１４】
さらに、図８および図９で表される構成要素および機能ならびに本明細書で説明する他の構成要素および機能は任意の好適な手段を使用して実装できる。そのような手段は、少なくとも部分的には本明細書で教示する対応する構造を使用して実装することもできる。たとえば、図８および図９の「ＡＳＩＣ」構成要素に関連して上述した構成要素はまた、同様に指定された「手段」機能に対応することができる。したがって、いくつかの態様では、１つまたは複数のそのような手段は、本明細書で教示する１つまたは複数のプロセッサ構成要素、集積回路、または他の好適な構造を使用して実装できる。
【０１１５】
また、本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはそれらの任意の組合せ」を意味する。
【０１１６】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１１７】
さらに、本明細書で開示された態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本開示の範囲からの逸脱を生じると解釈すべきではない。
【０１１８】
本明細書で開示した態様に関して説明した様々な例示的な論理ブロック、モジュールおよび回路は、集積回路（「ＩＣ」）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電子的構成要素、光学的構成要素、機械的構成要素、または本明細書で説明する機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１１９】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１２０】
本明細書で開示する態様に関して説明した方法またはアルゴリズムのステップは、直接ハードウェアで実施するか、プロセッサによって実行されるソフトウェアモジュールで実施するか、またはその２つの組合せで実施することができる。ソフトウェアモジュール（たとえば、実行可能命令および関連するデータを含む）および他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態のコンピュータ可読記憶媒体など、データメモリ中に常駐することができる。プロセッサが記憶媒体から情報（たとえばコード）を読み取り、情報を記憶媒体に書き込むことができるように、例示的な記憶媒体を、たとえばコンピュータ／プロセッサ（便宜上、本明細書では「プロセッサ」と呼ぶことがある）などのマシンに結合することができる。例示的な記憶媒体はプロセッサと一体とすることができる。プロセッサおよび記憶媒体はＡＳＩＣ中に常駐することができる。ＡＳＩＣはユーザ装置中に常駐することができる。代替形態では、プロセッサおよび記憶媒体はユーザ装置中の個別部品として常駐することができる。さらに、いくつかの態様では、好適なコンピュータプログラム製品は、本開示の態様のうちの１つまたは複数に関する（たとえば、少なくとも１つのコンピュータによって実行可能な）コードを備えるコンピュータ可読媒体を備えることができる。いくつかの態様では、コンピュータプログラム製品はパッケージ材料を備えることができる。
【０１２１】
開示された態様の前述の説明は、当業者が本開示を実施または使用できるようにするために提供されるものである。これらの態様への様々な変更は当業者にはすぐに明らかになり、本明細書で定義された包括的な原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
【図１】
2011519536.tif 000003
【図２】
2011519536.tif 000004
【図３】
2011519536.tif 000005
【図４Ａ】
2011519536.tif 000006
【図４Ｂ】
2011519536.tif 000007
【図４Ｃ】
2011519536.tif 000008
【図５Ａ】
2011519536.tif 000009
【図５Ｂ】
2011519536.tif 000010
【図５Ｃ】
2011519536.tif 000011
【図６】
2011519536.tif 000012
【図７】
2011519536.tif 000013
【図８】
2011519536.tif 000014
【図９】
2011519536.tif 000015
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと、
定義された時間期間内に複数のノードからページングメッセージを受信することと、
前記ページングメッセージに対して単一の応答を送信することと
を備える方法。
【請求項２】
前記第１の動作状態がアクティブ状態を備え、前記第２の動作状態が周期的状態を備え、前記第３の動作状態が待機状態を備える、請求項１に記載の方法。
【請求項３】
前記第２のデューティサイクルに応じた前記チャネル走査が、第１の時間間隔に基づく時間に周期的に走査することを備え、
前記第３のデューティサイクルに応じた前記チャネル走査が、第２の時間間隔に基づく時間に周期的に走査することを備え、
前記第２の時間間隔が前記第１の時間間隔よりも長い
請求項１に記載の方法。
【請求項４】
前記第１のデューティサイクルに応じた前記チャネル走査が、前記チャネルを連続的に走査することを備える、請求項３に記載の方法。
【請求項５】
前記第１のデューティサイクルに応じた前記チャネル走査が、第３の時間間隔に基づく時間に周期的に走査することを備え、
前記第３の時間間隔が前記第１の時間間隔よりも短い
請求項３に記載の方法。
【請求項６】
前記第３の時間間隔が、非同期パケットのプリアンブルをキャプチャするのに十分高い走査レートに対応する、請求項５に記載の方法。
【請求項７】
前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、請求項５に記載の方法。
【請求項８】
第１のタイムアウト期間中に信号が受信されなかった場合、前記第１の動作状態から前記第２の動作状態に遷移することと、
第２のタイムアウト期間中に信号が受信されなかった場合、前記第２の動作状態から前記第３の動作状態に遷移することと
をさらに備える、請求項１に記載の方法。
【請求項９】
各信号が、パケット、データパケット、ページングメッセージ、発見メッセージ、または制御メッセージを備える、請求項８に記載の方法。
【請求項１０】
連続チャネル走査の第１の定義された量の間に信号が受信されなかった場合、前記第１の動作状態から前記第２の動作状態に遷移することと、
連続チャネル走査の第２の定義された量の間に信号が受信されなかった場合、前記第２の動作状態から前記第３の動作状態に遷移することと
をさらに備える、請求項１に記載の方法。
【請求項１１】
各信号が、パケット、データパケット、ページングメッセージ、発見メッセージ、または制御メッセージを備える、請求項１０に記載の方法。
【請求項１２】
信号が受信された場合、前記第３の動作状態から前記第１の動作状態に遷移することと、
信号が受信された場合、前記第２の動作状態から前記第１の動作状態に遷移することと
をさらに備える、請求項１に記載の方法。
【請求項１３】
各信号が、パケット、データパケット、ページングメッセージ、発見メッセージ、または制御メッセージを備える、請求項１２に記載の方法。
【請求項１４】
前記第３の動作状態の間の前記走査の周期的タイミングを、前記第２の動作状態の間の前記走査の周期的タイミングと相関させることをさらに備える、請求項１に記載の方法。
【請求項１５】
前記第３の動作状態の間の前記走査の前記周期的タイミングと、前記第２の動作状態の間の前記走査の前記周期的タイミングとが、共通のタイミングオフセットに基づく、請求項１４に記載の方法。
【請求項１６】
前記チャネル走査のいずれかの間に信号が受信された場合、応答信号を送信することをさらに備え、前記応答信号が、肯定応答メッセージ、またはページングメッセージに対する応答を備える、請求項１に記載の方法。
【請求項１７】
ページングメッセージを受信することと、
前記ページングメッセージに対する応答を送信することとをさらに備え、前記応答の前記送信のタイミングが、前記第２の動作状態、前記第３の動作状態、または前記第２および第３の動作状態の間の前記走査のタイミングの指示を与える
請求項１に記載の方法。
【請求項１８】
ページングメッセージを受信することと、
前記ページングメッセージに対する応答を送信することとをさらに備え、前記応答が、前記第２の動作状態、前記第３の動作状態、または前記第２および第３の動作状態の間の前記走査のタイミングの指示を含む
請求項１に記載の方法。
【請求項１９】
前記単一の応答の前記送信が、前記複数のノードに共通であるチャネルを介して前記単一の応答をブロードキャストすることを備える、請求項１に記載の方法。
【請求項２０】
前記単一の応答のプリアンブルの長さが、前記複数のノードに関連する相対走査期間時間に基づく、請求項１に記載の方法。
【請求項２１】
前記第１のデューティサイクル、前記第２のデューティサイクル、または前記第３のデューティサイクルのうちの少なくとも１つが、ノードタイプに基づく、請求項１に記載の方法。
【請求項２２】
ワイヤレス通信のための装置であって、
第１の動作状態と第２の動作状態と第３の動作状態との間の遷移を制御するように構成された状態コントローラと、
前記第１の動作状態の間に第１のデューティサイクルに応じてチャネルを走査することと、
前記第２の動作状態の間に第２のデューティサイクルに応じて前記チャネルを走査することであって、前記第２のデューティサイクルが前記第１のデューティサイクルよりも低い、走査することと、
前記第３の動作状態の間に第３のデューティサイクルに応じて前記チャネルを走査することであって、前記第３のデューティサイクルが前記第２のデューティサイクルよりも低い、走査することと、
定義された時間期間内に複数のノードからページングメッセージを受信することと
を行うように構成された受信機と、
前記ページングメッセージに対して単一の応答を送信するように構成された送信機と
を備える装置。
【請求項２３】
前記第１の動作状態がアクティブ状態を備え、前記第２の動作状態が周期的状態を備え、前記第３の動作状態が待機状態を備える、請求項２２に記載の装置。
【請求項２４】
前記第２のデューティサイクルに応じた前記チャネル走査が、第１の時間間隔に基づく時間に周期的に走査することを備え、
前記第３のデューティサイクルに応じた前記チャネル走査が、第２の時間間隔に基づく時間に周期的に走査することを備え、
前記第２の時間間隔が前記第１の時間間隔よりも長い
請求項２２に記載の装置。
【請求項２５】
前記第１のデューティサイクルに応じた前記チャネル走査が、前記チャネルを連続的に走査することを備える、請求項２４に記載の装置。
【請求項２６】
前記第１のデューティサイクルに応じた前記チャネル走査が、第３の時間間隔に基づく時間に周期的に走査することを備え、
前記第３の時間間隔が前記第１の時間間隔よりも短い
請求項２４に記載の装置。
【請求項２７】
前記第３の時間間隔が、非同期パケットのプリアンブルをキャプチャするのに十分高い走査レートに対応する、請求項２６に記載の装置。
【請求項２８】
前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、請求項２６に記載の装置。
【請求項２９】
前記状態コントローラが、
第１のタイムアウト期間中に信号が受信されなかった場合、前記第１の動作状態から前記第２の動作状態に遷移することと、
第２のタイムアウト期間中に信号が受信されなかった場合、前記第２の動作状態から前記第３の動作状態に遷移することと
を行うようにさらに構成された、請求項２２に記載の装置。
【請求項３０】
各信号が、パケット、データパケット、ページングメッセージ、発見メッセージ、または制御メッセージを備える、請求項２９に記載の装置。
【請求項３１】
前記状態コントローラが、
連続チャネル走査の第１の定義された量の間に信号が受信されなかった場合、前記第１の動作状態から前記第２の動作状態に遷移することと、
連続チャネル走査の第２の定義された量の間に信号が受信されなかった場合、前記第２の動作状態から前記第３の動作状態に遷移することと
を行うようにさらに構成された、請求項２２に記載の装置。
【請求項３２】
各信号が、パケット、データパケット、ページングメッセージ、発見メッセージ、または制御メッセージを備える、請求項３１に記載の装置。
【請求項３３】
前記状態コントローラが、
信号が受信された場合、前記第３の動作状態から前記第１の動作状態に遷移することと、
信号が受信された場合、前記第２の動作状態から前記第１の動作状態に遷移することと
を行うようにさらに構成された、請求項２２に記載の装置。
【請求項３４】
各信号が、パケット、データパケット、ページングメッセージ、発見メッセージ、または制御メッセージを備える、請求項３３に記載の装置。
【請求項３５】
前記第３の動作状態の間の前記走査の周期的タイミングを、前記第２の動作状態の間の前記走査の周期的タイミングと相関させるように構成されたタイミングコントローラをさらに備える、請求項２２に記載の装置。
【請求項３６】
前記第３の動作状態の間の前記走査の前記周期的タイミングと、前記第２の動作状態の間の前記走査の前記周期的タイミングとが、共通のタイミングオフセットに基づく、請求項３５に記載の装置。
【請求項３７】
前記チャネル走査のいずれかの間に前記受信機によって信号が受信された場合、応答信号を送信するように構成された送信機をさらに備え、前記応答信号が、肯定応答メッセージ、またはページングメッセージに対する応答を備える、請求項２２に記載の装置。
【請求項３８】
前記受信機が、ページングメッセージを受信するようにさらに構成され、
前記装置が、前記ページングメッセージに対する応答を送信するように構成された送信機をさらに備え、前記応答の前記送信のタイミングが、前記第２の動作状態、前記第３の動作状態、または前記第２および第３の動作状態の間の前記走査のタイミングの指示を与える
請求項２２に記載の装置。
【請求項３９】
前記受信機が、ページングメッセージを受信するようにさらに構成され、
前記装置が、前記ページングメッセージに対する応答を送信するように構成された送信機をさらに備え、前記応答が、前記第２の動作状態、前記第３の動作状態、または前記第２および第３の動作状態の間の前記走査のタイミングの指示を含む
請求項２２に記載の装置。
【請求項４０】
前記単一の応答の前記送信が、前記複数のノードに共通であるチャネルを介して前記単一の応答をブロードキャストすることを備える、請求項２２に記載の装置。
【請求項４１】
前記単一の応答のプリアンブルの長さが、前記複数のノードに関連する相対走査期間時間に基づく、請求項２２に記載の装置。
【請求項４２】
前記第１のデューティサイクル、前記第２のデューティサイクル、または前記第３のデューティサイクルのうちの少なくとも１つが、ノードタイプに基づく、請求項２２に記載の装置。
【請求項４３】
ワイヤレス通信のための装置であって、
第１の動作状態の間に第１のデューティサイクルに応じてチャネルを走査するための手段と、
第２の動作状態の間に第２のデューティサイクルに応じて前記チャネルを走査するための手段であって、前記第２のデューティサイクルが前記第１のデューティサイクルよりも低い、走査するための手段と、
第３の動作状態の間に第３のデューティサイクルに応じて前記チャネルを走査するための手段であって、前記第３のデューティサイクルが前記第２のデューティサイクルよりも低い、走査するための手段と、
定義された時間期間内に複数のノードからページングメッセージを受信するための手段と、
前記ページングメッセージに対して単一の応答を送信するための手段と
を備える装置。
【請求項４４】
前記第１の動作状態がアクティブ状態を備え、前記第２の動作状態が周期的状態を備え、前記第３の動作状態が待機状態を備える、請求項４３に記載の装置。
【請求項４５】
前記第２のデューティサイクルに応じた前記チャネル走査が、第１の時間間隔に基づく時間に周期的に走査することを備え、
前記第３のデューティサイクルに応じた前記チャネル走査が、第２の時間間隔に基づく時間に周期的に走査することを備え、
前記第２の時間間隔が前記第１の時間間隔よりも長い
請求項４３に記載の装置。
【請求項４６】
前記第１のデューティサイクルに応じた前記チャネル走査が、前記チャネルを連続的に走査することを備える、請求項４５に記載の装置。
【請求項４７】
前記第１のデューティサイクルに応じた前記チャネル走査が、第３の時間間隔に基づく時間に周期的に走査することを備え、
前記第３の時間間隔が前記第１の時間間隔よりも短い
請求項４５に記載の装置。
【請求項４８】
前記第３の時間間隔が、非同期パケットのプリアンブルをキャプチャするのに十分高い走査レートに対応する、請求項４７に記載の装置。
【請求項４９】
前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、請求項４７に記載の装置。
【請求項５０】
第１のタイムアウト期間中に信号が受信されなかった場合、前記第１の動作状態から前記第２の動作状態に遷移するための手段と、
第２のタイムアウト期間中に信号が受信されなかった場合、前記第２の動作状態から前記第３の動作状態に遷移するための手段と
をさらに備える、請求項４３に記載の装置。
【請求項５１】
各信号が、パケット、データパケット、ページングメッセージ、発見メッセージ、または制御メッセージを備える、請求項５０に記載の装置。
【請求項５２】
連続チャネル走査の第１の定義された量の間に信号が受信されなかった場合、前記第１の動作状態から前記第２の動作状態に遷移するための手段と、
連続チャネル走査の第２の定義された量の間に信号が受信されなかった場合、前記第２の動作状態から前記第３の動作状態に遷移するための手段と
をさらに備える、請求項４３に記載の装置。
【請求項５３】
各信号が、パケット、データパケット、ページングメッセージ、発見メッセージ、または制御メッセージを備える、請求項５２に記載の装置。
【請求項５４】
信号が受信された場合、前記第３の動作状態から前記第１の動作状態に遷移するための手段と、
信号が受信された場合、前記第２の動作状態から前記第１の動作状態に遷移するための手段と
をさらに備える、請求項４３に記載の装置。
【請求項５５】
各信号が、パケット、データパケット、ページングメッセージ、発見メッセージ、または制御メッセージを備える、請求項５４に記載の装置。
【請求項５６】
前記第３の動作状態の間の前記走査の周期的タイミングを、前記第２の動作状態の間の前記走査の周期的タイミングと相関させるための手段をさらに備える、請求項４３に記載の装置。
【請求項５７】
前記第３の動作状態の間の前記走査の前記周期的タイミングと、前記第２の動作状態の間の前記走査の前記周期的タイミングとが、共通のタイミングオフセットに基づく、請求項５６に記載の装置。
【請求項５８】
前記チャネル走査のいずれかの間に信号が受信された場合、応答信号を送信するための手段をさらに備え、前記応答信号が、肯定応答メッセージ、またはページングメッセージに対する応答を備える、請求項４３に記載の装置。
【請求項５９】
ページングメッセージを受信するための手段と、
前記ページングメッセージに対する応答を送信するための手段とをさらに備え、前記応答の前記送信のタイミングが、前記第２の動作状態、前記第３の動作状態、または前記第２および第３の動作状態の間の前記走査のタイミングの指示を与える
請求項４３に記載の装置。
【請求項６０】
ページングメッセージを受信するための手段と、
前記ページングメッセージに対する応答を送信するための手段とをさらに備え、前記応答が、前記第２の動作状態、前記第３の動作状態、または前記第２および第３の動作状態の間の前記走査のタイミングの指示を含む
請求項４３に記載の装置。
【請求項６１】
前記単一の応答の前記送信が、前記複数のノードに共通であるチャネルを介して前記単一の応答をブロードキャストすることを備える、請求項４３に記載の装置。
【請求項６２】
前記単一の応答のプリアンブルの長さが、前記複数のノードに関連する相対走査期間時間に基づく、請求項４３に記載の装置。
【請求項６３】
前記第１のデューティサイクル、前記第２のデューティサイクル、または前記第３のデューティサイクルのうちの少なくとも１つが、ノードタイプに基づく、請求項４３に記載の装置。
【請求項６４】
ワイヤレス通信のためのコンピュータプログラム製品であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと、
定義された時間期間内に複数のノードからページングメッセージを受信することと、
前記ページングメッセージに対して単一の応答を送信することと
を行うための、実行可能なコードを備えるコンピュータ可読媒体
を備えるコンピュータプログラム製品。
【請求項６５】
ワイヤレス通信のためのヘッドセットであって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと、
定義された時間期間内に複数のノードからページングメッセージを受信することと
を行うように構成された受信機と、
前記ページングメッセージに対して単一の応答を送信するように構成された送信機と、
前記受信機によって受信されたデータに基づいてオーディオ出力を与えるように構成された変換器と
を備えるヘッドセット。
【請求項６６】
ワイヤレス通信のための時計であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと、
定義された時間期間内に複数のノードからページングメッセージを受信することと
を行うように構成された受信機と、
前記ページングメッセージに対して単一の応答を送信するように構成された送信機と、
前記受信機によって受信されたデータに基づいて指示を与えるように構成されたユーザインターフェースと
を備える時計。
【請求項６７】
ワイヤレス通信のための検知デバイスであって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと、
定義された時間期間内に複数のノードからページングメッセージを受信することと
を行うように構成された受信機と、
前記ページングメッセージに対して単一の応答を送信するように構成された送信機と、
前記第１の動作状態、前記第２の動作状態、または前記第３の動作状態のうちの少なくとも１つの間に送信すべきデータを与えるように構成されたセンサと
を備える検知デバイス。
【請求項６８】
ワイヤレス通信の方法であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと、
ページングメッセージを送信することと、
前記ページングメッセージに対する応答を受信することであって、前記応答が、複数のノードからのページングメッセージに対する単一の応答である、受信することと、を備える方法。
【請求項６９】
前記第１の動作状態がアクティブ状態を備え、前記第２の動作状態が周期的状態を備え、前記第３の動作状態が待機状態を備える、請求項６８に記載の方法。
【請求項７０】
前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
請求項６８に記載の方法。
【請求項７１】
前記第１のデューティサイクルが連続走査に関連付けられた、請求項７０に記載の方法。
【請求項７２】
前記第１のデューティサイクルが第３の時間間隔に応じた走査に関連付けられ、
前記第３の時間間隔が前記第１の時間間隔よりも短い
請求項７０に記載の方法。
【請求項７３】
前記第１の動作状態の間の前記送信が送信パケットを備え、前記送信パケットの各々が、前記第３の時間間隔よりも長いプリアンブルを有する、請求項７２に記載の方法。
【請求項７４】
第１のワイヤレスノードにおいて、第２のワイヤレスノードの走査タイミングに関するタイミング情報を受信することと、
前記受信したタイミング情報に基づいて前記第２の動作状態の前記送信時間を定義することと、
前記受信したタイミング情報に基づいて前記第３の動作状態の前記送信時間を定義することと
をさらに備える、請求項６８に記載の方法。
【請求項７５】
第２のワイヤレスノードの動作状態の推定に基づいて、第１のワイヤレスノードにおいて前記第１の動作状態と前記第２の動作状態と前記第３の動作状態との間で遷移することをさらに備える、請求項６８に記載の方法。
【請求項７６】
前記チャネル上の前記送信の１つに応答する応答信号がないか前記チャネルを走査することをさらに備える、請求項６８に記載の方法。
【請求項７７】
第１のタイムアウト期間中に信号が送信されなかったか、または前記第１のタイムアウト期間中に信号は送信されたが、応答信号が受信されなかった場合、前記第１の動作状態から前記第２の動作状態に遷移することと、
第２のタイムアウト期間中に信号が送信されなかったか、または前記第２のタイムアウト期間中に信号は送信されたが、応答信号が受信されなかった場合、前記第２の動作状態から前記第３の動作状態に遷移することと
をさらに備える、請求項６８に記載の方法。
【請求項７８】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項７７に記載の方法。
【請求項７９】
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移することと、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移することと
をさらに備える、請求項６８に記載の方法。
【請求項８０】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項７９に記載の方法。
【請求項８１】
前記第３の動作状態の間に前記ページングメッセージを送信することと、
前記ページングメッセージに対する応答が受信された場合、前記第３の動作状態から前記第１の動作状態に遷移することと
をさらに備える、請求項６８に記載の方法。
【請求項８２】
前記第２の動作状態の間に信号が送信され、応答信号が受信された場合、前記第２の動作状態から前記第１の動作状態に遷移することをさらに備える、請求項６８に記載の方法。
【請求項８３】
前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
請求項８２に記載の方法。
【請求項８４】
前記第２の動作状態に関連する周期的タイミングを前記第３の動作状態に関連する周期的タイミングと同期させることをさらに備える、請求項６８に記載の方法。
【請求項８５】
前記第３の動作状態に関連する前記周期的タイミングと、前記第２の動作状態に関連する前記周期的タイミングとが、共通のタイミングオフセットに基づく、請求項８４に記載の方法。
【請求項８６】
さらに、前記ページングメッセージに対する前記応答の前記受信のタイミングが、前記第２の動作状態、前記第３の動作状態、または前記第２および第３の動作状態のためのタイミング境界の指示を与える
請求項６８に記載の方法。
【請求項８７】
さらに、前記ページングメッセージに対する前記応答が、前記第２の動作状態、前記第３の動作状態、または前記第２および第３の動作状態のためのタイミング境界の指示を含む
請求項６８に記載の方法。
【請求項８８】
前記第１のデューティサイクル、前記第２のデューティサイクル、または前記第３のデューティサイクルのうちの少なくとも１つが、ノードタイプに基づく、請求項６８に記載の方法。
【請求項８９】
ワイヤレス通信のための装置であって、
第１の動作状態と第２の動作状態と第３の動作状態との間の遷移を制御するように構成された状態コントローラと、
前記第１の動作状態の間の任意の時間にチャネル上で送信することであって、前記第１の動作状態が第１のデューティサイクルに関連する、送信することと、
前記第２の動作状態の間に、第２のデューティサイクルに関連する走査タイミングに基づく時間に前記チャネル上で送信することであって、前記第２のデューティサイクルが前記第１のデューティサイクルよりも低い、送信することと、
前記第３の動作状態の間に、第３のデューティサイクルに関連する走査タイミングに基づく時間に前記チャネル上で送信することであって、前記第３のデューティサイクルが前記第２のデューティサイクルよりも低い、送信することと、
ページングメッセージを送信することと
を行うように構成された送信機と、
前記ページングメッセージに対する応答を受信するように構成された受信機であって、前記応答が、複数のノードからのページングメッセージに対する単一の応答である、受信機と、を備える装置。
【請求項９０】
前記第１の動作状態がアクティブ状態を備え、前記第２の動作状態が周期的状態を備え、前記第３の動作状態が待機状態を備える、請求項８９に記載の装置。
【請求項９１】
前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
請求項８９に記載の装置。
【請求項９２】
前記第１のデューティサイクルが連続走査に関連付けられた、請求項９１に記載の装置。
【請求項９３】
前記第１のデューティサイクルが第３の時間間隔に応じた走査に関連付けられ、
前記第３の時間間隔が前記第１の時間間隔よりも短い
請求項９１に記載の装置。
【請求項９４】
前記第１の動作状態の間の前記送信が送信パケットを備え、前記送信パケットの各々が、前記第３の時間間隔よりも長いプリアンブルを有する、請求項９３に記載の装置。
【請求項９５】
第１のワイヤレスノードにおいて、第２のワイヤレスノードの走査タイミングに関するタイミング情報を受信するように構成された受信機と、
前記受信したタイミング情報に基づいて前記第２の動作状態の前記送信時間を定義するように構成され、前記受信したタイミング情報に基づいて前記第３の動作状態の前記送信時間を定義するようにさらに構成されたタイミングコントローラと
をさらに備える、請求項８９に記載の装置。
【請求項９６】
前記状態コントローラが、第２のワイヤレスノードの動作状態の推定に基づいて、第１のワイヤレスノードにおいて前記第１の動作状態と前記第２の動作状態と前記第３の動作状態との間で遷移するようにさらに構成された、請求項８９に記載の装置。
【請求項９７】
前記チャネル上の前記送信の１つに応答する応答信号がないか前記チャネルを走査するように構成された受信機をさらに備える、請求項８９に記載の装置。
【請求項９８】
前記状態コントローラが、
第１のタイムアウト期間中に信号が送信されなかったか、または前記第１のタイムアウト期間中に信号は送信されたが、応答信号が受信されなかった場合、前記第１の動作状態から前記第２の動作状態に遷移することと、
第２のタイムアウト期間中に信号が送信されなかったか、または前記第２のタイムアウト期間中に信号は送信されたが、応答信号が受信されなかった場合、前記第２の動作状態から前記第３の動作状態に遷移することと
を行うようにさらに構成された、請求項８９に記載の装置。
【請求項９９】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項９８に記載の装置。
【請求項１００】
前記状態コントローラが、
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移することと、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移することと
を行うようにさらに構成された、請求項８９に記載の装置。
【請求項１０１】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１００に記載の装置。
【請求項１０２】
前記送信機が、前記第３の動作状態の間に前記ページングメッセージを送信するようにさらに構成され、
前記状態コントローラが、前記ページングメッセージに対する応答が受信された場合、前記第３の動作状態から前記第１の動作状態に遷移するようにさらに構成された
請求項８９に記載の装置。
【請求項１０３】
前記状態コントローラが、前記第２の動作状態の間に信号が送信され、応答信号が受信された場合、前記第２の動作状態から前記第１の動作状態に遷移するようにさらに構成された、請求項８９に記載の装置。
【請求項１０４】
前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
請求項１０３に記載の装置。
【請求項１０５】
前記第２の動作状態に関連する周期的タイミングを前記第３の動作状態に関連する周期的タイミングと同期させるように構成されたタイミングコントローラをさらに備える、請求項８９に記載の装置。
【請求項１０６】
前記第３の動作状態に関連する前記周期的タイミングと、前記第２の動作状態に関連する前記周期的タイミングとが、共通のタイミングオフセットに基づく、請求項１０５に記載の装置。
【請求項１０７】
前記ページングメッセージに対する前記応答の前記受信のタイミングが、前記第２の動作状態、前記第３の動作状態、または前記第２および第３の動作状態のためのタイミング境界の指示を与える
請求項８９に記載の装置。
【請求項１０８】
前記ページングメッセージに対する前記応答が、前記第２の動作状態、前記第３の動作状態、または前記第２および第３の動作状態のためのタイミング境界の指示を含む
請求項８９に記載の装置。
【請求項１０９】
前記第１のデューティサイクル、前記第２のデューティサイクル、または前記第３のデューティサイクルのうちの少なくとも１つが、ノードタイプに基づく、請求項８９に記載の装置。
【請求項１１０】
ワイヤレス通信のための装置であって、
第１の動作状態の間の任意の時間にチャネル上で送信するための手段であって、前記第１の動作状態が第１のデューティサイクルに関連する、送信するための手段と、
第２の動作状態の間に、第２のデューティサイクルに関連する走査タイミングに基づく時間に前記チャネル上で送信するための手段であって、前記第２のデューティサイクルが前記第１のデューティサイクルよりも低い、送信するための手段と、
第３の動作状態の間に、第３のデューティサイクルに関連する走査タイミングに基づく時間に前記チャネル上で送信するための手段であって、前記第３のデューティサイクルが前記第２のデューティサイクルよりも低い、送信するための手段と、
ページングメッセージを送信するための手段と、
前記ページングメッセージに対する応答を受信するための手段であって、前記応答が、複数のノードからのページングメッセージに対する単一の応答である、受信するための手段と、を備える装置。
【請求項１１１】
前記第１の動作状態がアクティブ状態を備え、前記第２の動作状態が周期的状態を備え、前記第３の動作状態が待機状態を備える、請求項１１０に記載の装置。
【請求項１１２】
前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
請求項１１０に記載の装置。
【請求項１１３】
前記第１のデューティサイクルが連続走査に関連付けられた、請求項１１２に記載の装置。
【請求項１１４】
前記第１のデューティサイクルが第３の時間間隔に応じた走査に関連付けられ、
前記第３の時間間隔が前記第１の時間間隔よりも短い
請求項１１２に記載の装置。
【請求項１１５】
前記第１の動作状態の間の前記送信が送信パケットを備え、前記送信パケットの各々が、前記第３の時間間隔よりも長いプリアンブルを有する、請求項１１４に記載の装置。
【請求項１１６】
第１のワイヤレスノードにおいて、第２のワイヤレスノードの走査タイミングに関するタイミング情報を受信するための手段と、
前記受信したタイミング情報に基づいて前記第２の動作状態の前記送信時間を定義するための手段と、
前記受信したタイミング情報に基づいて前記第３の動作状態の前記送信時間を定義するための手段と
をさらに備える、請求項１１０に記載の装置。
【請求項１１７】
第２のワイヤレスノードの動作状態の推定に基づいて、第１のワイヤレスノードにおいて前記第１の動作状態と前記第２の動作状態と前記第３の動作状態との間で遷移するための手段をさらに備える、請求項１１０に記載の装置。
【請求項１１８】
前記チャネル上の前記送信の１つに応答する応答信号がないか前記チャネルを走査するための手段をさらに備える、請求項１１０に記載の装置。
【請求項１１９】
第１のタイムアウト期間中に信号が送信されなかったか、または前記第１のタイムアウト期間中に信号は送信されたが、応答信号が受信されなかった場合、前記第１の動作状態から前記第２の動作状態に遷移するための手段と、
第２のタイムアウト期間中に信号が送信されなかったか、または前記第２のタイムアウト期間中に信号は送信されたが、応答信号が受信されなかった場合、前記第２の動作状態から前記第３の動作状態に遷移するための手段と
をさらに備える、請求項１１０に記載の装置。
【請求項１２０】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１１９に記載の装置。
【請求項１２１】
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移するための手段と、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移するための手段と
をさらに備える、請求項１１０に記載の装置。
【請求項１２２】
各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
請求項１２１に記載の装置。
【請求項１２３】
ページングメッセージを送信するための前記手段が、前記第３の動作状態の間に前記ページングメッセージを送信するように構成され、
前記ページングメッセージに対する応答が受信された場合、前記第３の動作状態から前記第１の動作状態に遷移するための手段
をさらに備える、請求項１１０に記載の装置。
【請求項１２４】
前記第２の動作状態の間に信号が送信され、応答信号が受信された場合、前記第２の動作状態から前記第１の動作状態に遷移するための手段をさらに備える、請求項１１０に記載の装置。
【請求項１２５】
前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
請求項１２４に記載の装置。
【請求項１２６】
前記第２の動作状態に関連する周期的タイミングを前記第３の動作状態に関連する周期的タイミングと同期させるための手段をさらに備える、請求項１１０に記載の装置。
【請求項１２７】
前記第３の動作状態に関連する前記周期的タイミングと、前記第２の動作状態に関連する前記周期的タイミングとが、共通のタイミングオフセットに基づく、請求項１２６に記載の装置。
【請求項１２８】
さらに、前記ページングメッセージに対する前記応答の前記受信のタイミングが、前記第２の動作状態、前記第３の動作状態、または前記第２および第３の動作状態のためのタイミング境界の指示を与える
請求項１１０に記載の装置。
【請求項１２９】
さらに、前記ページングメッセージに対する前記応答が、前記第２の動作状態、前記第３の動作状態、または前記第２および第３の動作状態のためのタイミング境界の指示を含む
請求項１１０に記載の装置。
【請求項１３０】
前記第１のデューティサイクル、前記第２のデューティサイクル、または前記第３のデューティサイクルのうちの少なくとも１つが、ノードタイプに基づく、請求項１１０に記載の装置。
【請求項１３１】
ワイヤレス通信のためのコンピュータプログラム製品であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと、
ページングメッセージを送信することと、
前記ページングメッセージに対する応答を受信することであって、前記応答が、複数のノードからのページングメッセージに対する単一の応答である、受信することと
を行うための、実行可能なコードを備えるコンピュータ可読媒体
を備えるコンピュータプログラム製品。
【請求項１３２】
ワイヤレス通信のためのヘッドセットであって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと、
ページングメッセージを送信することと
を行うように構成された送信機と、
前記ページングメッセージに対する応答を受信するように構成された受信機であって、前記応答が、複数のノードからのページングメッセージに対する単一の応答である、受信機と、
前記第１の動作状態、前記第２の動作状態、または前記第３の動作状態のうちの少なくとも１つの間に受信されたデータに基づいてオーディオ出力を与えるように構成された変換器と
を備えるヘッドセット。
【請求項１３３】
ワイヤレス通信のための時計であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと、
ページングメッセージを送信することと
を行うように構成された送信機と、
前記ページングメッセージに対する応答を受信するように構成された受信機であって、前記応答が、複数のノードからのページングメッセージに対する単一の応答である、受信機と、
前記第１の動作状態、前記第２の動作状態、または前記第３の動作状態のうちの少なくとも１つの間に受信されたデータに基づいて指示を与えるように構成されたユーザインターフェースと
を備える時計。
【請求項１３４】
ワイヤレス通信のための検知デバイスであって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間に前記チャネル上で送信することであって、前記第２のデューティサイクルが前記第１のデューティサイクルよりも低い、送信することと、
第３の動作状態の間に、第３のデューティサイクルに関連する走査タイミングに基づく時間に前記チャネル上で送信することであって、前記第３のデューティサイクルが前記第２のデューティサイクルよりも低い、送信することと、
ページングメッセージを送信することと
を行うように構成された送信機と、
前記ページングメッセージに対する応答を受信するように構成された受信機であって、前記応答が、複数のノードからのページングメッセージに対する単一の応答である、受信機と、
前記送信機によって送信すべきデータを与えるように構成されたセンサと
を備える検知デバイス。
【手続補正２】
【補正対象書類名】明細書
【補正対象項目名】０１２１
【補正方法】変更
【補正の内容】
【０１２１】
開示された態様の前述の説明は、当業者が本開示を実施または使用できるようにするために提供されるものである。これらの態様への様々な変更は当業者にはすぐに明らかになり、本明細書で定義された包括的な原理は本開示の範囲から逸脱することなく他の態様に適用できる。したがって、本開示は、本明細書で示した態様に限定されるものではなく、本明細書で開示した原理および新規の特徴に一致する最も広い範囲を与えられるべきである。
以下に、本願出願当初の特許請求の範囲に記載された発明を付記する。
〔１〕ワイヤレス通信の方法であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を備える方法。
〔２〕前記第１の動作状態がアクティブ状態を備え、前記第２の動作状態が周期的状態を備え、前記第３の動作状態が待機状態を備える、〔１〕に記載の方法。
〔３〕前記第２のデューティサイクルに応じた前記チャネル走査が、第１の時間間隔に基づく時間で周期的に走査することを備え、
前記第３のデューティサイクルに応じた前記チャネル走査が、第２の時間間隔に基づく時間で周期的に走査することを備え、
前記第２の時間間隔が前記第１の時間間隔よりも長い
〔１〕に記載の方法。
〔４〕前記第１のデューティサイクルに応じた前記チャネル走査が、前記チャネルを連続的に走査することを備える、〔３〕に記載の方法。
〔５〕前記第１のデューティサイクルに応じた前記チャネル走査が、第３の時間間隔に基づく時間で周期的に走査することを備え、
前記第３の時間間隔が前記第１の時間間隔よりも短い
〔３〕に記載の方法。
〔６〕前記第３の時間間隔が、非同期パケットのプリアンブルをキャプチャするのに十分高い走査レートに対応する、〔５〕に記載の方法。
〔７〕前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、〔５〕に記載の方法。
〔８〕第１のタイムアウト期間中に信号が受信されなかった場合、前記第１の動作状態から前記第２の動作状態に遷移することと、
第２のタイムアウト期間中に信号が受信されなかった場合、前記第２の動作状態から前記第３の動作状態に遷移することと
をさらに備える、〔１〕に記載の方法。
〔９〕各信号が、パケット、データパケット、ページングメッセージ、発見メッセージ、または制御メッセージを備える、〔８〕に記載の方法。
〔１０〕連続チャネル走査の第１の定義された量の間に信号が受信されなかった場合、前記第１の動作状態から前記第２の動作状態に遷移することと、
連続チャネル走査の第２の定義された量の間に信号が受信されなかった場合、前記第２の動作状態から前記第３の動作状態に遷移することと
をさらに備える、〔１〕に記載の方法。
〔１１〕各信号が、パケット、データパケット、ページングメッセージ、発見メッセージ、または制御メッセージを備える、〔１０〕に記載の方法。
〔１２〕信号が受信された場合、前記第３の動作状態から前記第１の動作状態に遷移することと、
信号が受信された場合、前記第２の動作状態から前記第１の動作状態に遷移することと
をさらに備える、〔１〕に記載の方法。
〔１３〕各信号が、パケット、データパケット、ページングメッセージ、発見メッセージ、または制御メッセージを備える、〔１２〕に記載の方法。
〔１４〕前記第３の動作状態の間の前記走査の周期的タイミングを、前記第２の動作状態の間の前記走査の周期的タイミングと相関させることをさらに備える、〔１〕に記載の方法。
〔１５〕前記第３の動作状態の間の前記走査の前記周期的タイミングと、前記第２の動作状態の間の前記走査の前記周期的タイミングとが、共通のタイミングオフセットに基づく、〔１４〕に記載の方法。
〔１６〕前記チャネル走査のいずれかの間に信号が受信された場合、応答信号を送信することをさらに備え、前記応答信号が、肯定応答メッセージ、またはページングメッセージに対する応答を備える、〔１〕に記載の方法。
〔１７〕ページングメッセージを受信することと、
前記ページングメッセージに対する応答を送信することとをさらに備え、前記応答の前記送信のタイミングが、前記第２の動作状態、前記第３の動作状態、または前記第２および第３の動作状態の間の前記走査のタイミングの指示を与える
〔１〕に記載の方法。
〔１８〕ページングメッセージを受信することと、
前記ページングメッセージに対する応答を送信することとをさらに備え、前記応答が、前記第２の動作状態、前記第３の動作状態、または前記第２および第３の動作状態の間の前記走査のタイミングの指示を含む
〔１〕に記載の方法。
〔１９〕定義された時間期間内に複数のノードからページングメッセージを受信することと、
前記ページングメッセージに対して単一の応答を送信することと
をさらに備える、〔１〕に記載の方法。
〔２０〕前記単一の応答の前記送信が、前記複数のノードに共通であるチャネルを介して前記単一の応答をブロードキャストすることを備える、〔１９〕に記載の方法。
〔２１〕前記単一の応答のプリアンブルの長さが、前記複数のノードに関連する相対走査期間時間で基づく、〔１９〕に記載の方法。
〔２２〕前記第１のデューティサイクル、前記第２のデューティサイクル、または前記第３のデューティサイクルのうちの少なくとも１つが、ノードタイプに基づく、〔１〕に記載の方法。
〔２３〕ワイヤレス通信のための装置であって、
第１の動作状態と第２の動作状態と第３の動作状態との間の遷移を制御するように構成された状態コントローラと、
前記第１の動作状態の間に第１のデューティサイクルに応じてチャネルを走査することと、
前記第２の動作状態の間に第２のデューティサイクルに応じて前記チャネルを走査することであって、前記第２のデューティサイクルが前記第１のデューティサイクルよりも低い、走査することと、
前記第３の動作状態の間に第３のデューティサイクルに応じて前記チャネルを走査することであって、前記第３のデューティサイクルが前記第２のデューティサイクルよりも低い、走査することと
を行うように構成された受信機と
を備える装置。
〔２４〕前記第１の動作状態がアクティブ状態を備え、前記第２の動作状態が周期的状態を備え、前記第３の動作状態が待機状態を備える、〔２３〕に記載の装置。
〔２５〕前記第２のデューティサイクルに応じた前記チャネル走査が、第１の時間間隔に基づく時間で周期的に走査することを備え、
前記第３のデューティサイクルに応じた前記チャネル走査が、第２の時間間隔に基づく時間で周期的に走査することを備え、
前記第２の時間間隔が前記第１の時間間隔よりも長い
〔２３〕に記載の装置。
〔２６〕前記第１のデューティサイクルに応じた前記チャネル走査が、前記チャネルを連続的に走査することを備える、〔２５〕に記載の装置。
〔２７〕前記第１のデューティサイクルに応じた前記チャネル走査が、第３の時間間隔に基づく時間で周期的に走査することを備え、
前記第３の時間間隔が前記第１の時間間隔よりも短い
〔２５〕に記載の装置。
〔２８〕前記第３の時間間隔が、非同期パケットのプリアンブルをキャプチャするのに十分高い走査レートに対応する、〔２７〕に記載の装置。
〔２９〕前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、〔２７〕に記載の装置。
〔３０〕前記状態コントローラが、
第１のタイムアウト期間中に信号が受信されなかった場合、前記第１の動作状態から前記第２の動作状態に遷移することと、
第２のタイムアウト期間中に信号が受信されなかった場合、前記第２の動作状態から前記第３の動作状態に遷移することと
を行うようにさらに構成された、〔２３〕に記載の装置。
〔３１〕各信号が、パケット、データパケット、ページングメッセージ、発見メッセージ、または制御メッセージを備える、〔３０〕に記載の装置。
〔３２〕前記状態コントローラが、
連続チャネル走査の第１の定義された量の間に信号が受信されなかった場合、前記第１の動作状態から前記第２の動作状態に遷移することと、
連続チャネル走査の第２の定義された量の間に信号が受信されなかった場合、前記第２の動作状態から前記第３の動作状態に遷移することと
を行うようにさらに構成された、〔２３〕に記載の装置。
〔３３〕各信号が、パケット、データパケット、ページングメッセージ、発見メッセージ、または制御メッセージを備える、〔３２〕に記載の装置。
〔３４〕前記状態コントローラが、
信号が受信された場合、前記第３の動作状態から前記第１の動作状態に遷移することと、
信号が受信された場合、前記第２の動作状態から前記第１の動作状態に遷移することと
を行うようにさらに構成された、〔２３〕に記載の装置。
〔３５〕各信号が、パケット、データパケット、ページングメッセージ、発見メッセージ、または制御メッセージを備える、〔３４〕に記載の装置。
〔３６〕前記第３の動作状態の間の前記走査の周期的タイミングを、前記第２の動作状態の間の前記走査の周期的タイミングと相関させるように構成されたタイミングコントローラをさらに備える、〔２３〕に記載の装置。
〔３７〕前記第３の動作状態の間の前記走査の前記周期的タイミングと、前記第２の動作状態の間の前記走査の前記周期的タイミングとが、共通のタイミングオフセットに基づく、〔３６〕に記載の装置。
〔３８〕前記チャネル走査のいずれかの間に前記受信機によって信号が受信された場合、応答信号を送信するように構成された送信機をさらに備え、前記応答信号が、肯定応答メッセージ、またはページングメッセージに対する応答を備える、〔２３〕に記載の装置。
〔３９〕前記受信機が、ページングメッセージを受信するようにさらに構成され、
前記装置が、前記ページングメッセージに対する応答を送信するように構成された送信機をさらに備え、前記応答の前記送信のタイミングが、前記第２の動作状態、前記第３の動作状態、または前記第２および第３の動作状態の間の前記走査のタイミングの指示を与える
〔２３〕に記載の装置。
〔４０〕前記受信機が、ページングメッセージを受信するようにさらに構成され、
前記装置が、前記ページングメッセージに対する応答を送信するように構成された送信機をさらに備え、前記応答が、前記第２の動作状態、前記第３の動作状態、または前記第２および第３の動作状態の間の前記走査のタイミングの指示を含む
〔２３〕に記載の装置。
〔４１〕前記受信機が、定義された時間期間内に複数のノードからページングメッセージを受信するようにさらに構成され、
前記装置が、前記ページングメッセージに対して単一の応答を送信するように構成された送信機をさらに備える
〔２３〕に記載の装置。
〔４２〕前記単一の応答の前記送信が、前記複数のノードに共通であるチャネルを介して前記単一の応答をブロードキャストすることを備える、〔４１〕に記載の装置。
〔４３〕前記単一の応答のプリアンブルの長さが、前記複数のノードに関連する相対走査期間時間に基づく、〔４１〕に記載の装置。
〔４４〕前記第１のデューティサイクル、前記第２のデューティサイクル、または前記第３のデューティサイクルのうちの少なくとも１つが、ノードタイプに基づく、〔２３〕に記載の装置。
〔４５〕ワイヤレス通信のための装置であって、
第１の動作状態の間に第１のデューティサイクルに応じてチャネルを走査するための手段と、
第２の動作状態の間に第２のデューティサイクルに応じて前記チャネルを走査するための手段であって、前記第２のデューティサイクルが前記第１のデューティサイクルよりも低い、走査するための手段と、
第３の動作状態の間に第３のデューティサイクルに応じて前記チャネルを走査するための手段であって、前記第３のデューティサイクルが前記第２のデューティサイクルよりも低い、走査するための手段と
を備える装置。
〔４６〕前記第１の動作状態がアクティブ状態を備え、前記第２の動作状態が周期的状態を備え、前記第３の動作状態が待機状態を備える、〔４５〕に記載の装置。
〔４７〕前記第２のデューティサイクルに応じた前記チャネル走査が、第１の時間間隔に基づく時間で周期的に走査することを備え、
前記第３のデューティサイクルに応じた前記チャネル走査が、第２の時間間隔に基づく時間で周期的に走査することを備え、
前記第２の時間間隔が前記第１の時間間隔よりも長い
〔４５〕に記載の装置。
〔４８〕前記第１のデューティサイクルに応じた前記チャネル走査が、前記チャネルを連続的に走査することを備える、〔４７〕に記載の装置。
〔４９〕前記第１のデューティサイクルに応じた前記チャネル走査が、第３の時間間隔に基づく時間で周期的に走査することを備え、
前記第３の時間間隔が前記第１の時間間隔よりも短い
〔４７〕に記載の装置。
〔５０〕前記第３の時間間隔が、非同期パケットのプリアンブルをキャプチャするのに十分高い走査レートに対応する、〔４９〕に記載の装置。
〔５１〕前記第１の時間間隔、前記第２の時間間隔、または前記第３の時間間隔のうちのいずれか１つの継続時間が、パケットプリアンブルのサイズ、クロックドリフト、またはパケットを検出しない確率のうちの少なくとも１つに基づく、〔４９〕に記載の装置。
〔５２〕第１のタイムアウト期間中に信号が受信されなかった場合、前記第１の動作状態から前記第２の動作状態に遷移するための手段と、
第２のタイムアウト期間中に信号が受信されなかった場合、前記第２の動作状態から前記第３の動作状態に遷移するための手段と
をさらに備える、〔４５〕に記載の装置。
〔５３〕各信号が、パケット、データパケット、ページングメッセージ、発見メッセージ、または制御メッセージを備える、〔５２〕に記載の装置。
〔５４〕連続チャネル走査の第１の定義された量の間に信号が受信されなかった場合、前記第１の動作状態から前記第２の動作状態に遷移するための手段と、
連続チャネル走査の第２の定義された量の間に信号が受信されなかった場合、前記第２の動作状態から前記第３の動作状態に遷移するための手段と
をさらに備える、〔４５〕に記載の装置。
〔５５〕各信号が、パケット、データパケット、ページングメッセージ、発見メッセージ、または制御メッセージを備える、〔５４〕に記載の装置。
〔５６〕信号が受信された場合、前記第３の動作状態から前記第１の動作状態に遷移するための手段と、
信号が受信された場合、前記第２の動作状態から前記第１の動作状態に遷移するための手段と
をさらに備える、〔４５〕に記載の装置。
〔５７〕各信号が、パケット、データパケット、ページングメッセージ、発見メッセージ、または制御メッセージを備える、〔５６〕に記載の装置。
〔５８〕前記第３の動作状態の間の前記走査の周期的タイミングを、前記第２の動作状態の間の前記走査の周期的タイミングと相関させるための手段をさらに備える、〔４５〕に記載の装置。
〔５９〕前記第３の動作状態の間の前記走査の前記周期的タイミングと、前記第２の動作状態の間の前記走査の前記周期的タイミングとが、共通のタイミングオフセットに基づく、〔５８〕に記載の装置。
〔６０〕前記チャネル走査のいずれかの間に信号が受信された場合、応答信号を送信するための手段をさらに備え、前記応答信号が、肯定応答メッセージ、またはページングメッセージに対する応答を備える、〔４５〕に記載の装置。
〔６１〕ページングメッセージを受信するための手段と、
前記ページングメッセージに対する応答を送信するための手段とをさらに備え、前記応答の前記送信のタイミングが、前記第２の動作状態、前記第３の動作状態、または前記第２および第３の動作状態の間の前記走査のタイミングの指示を与える
〔４５〕に記載の装置。
〔６２〕ページングメッセージを受信するための手段と、
前記ページングメッセージに対する応答を送信するための手段とをさらに備え、前記応答が、前記第２の動作状態、前記第３の動作状態、または前記第２および第３の動作状態の間の前記走査のタイミングの指示を含む
〔４５〕に記載の装置。
〔６３〕定義された時間期間内に複数のノードからページングメッセージを受信するための手段と、
前記ページングメッセージに対して単一の応答を送信するための手段と
をさらに備える、〔４５〕に記載の装置。
〔６４〕前記単一の応答の前記送信が、前記複数のノードに共通であるチャネルを介して前記単一の応答をブロードキャストすることを備える、〔６３〕に記載の装置。
〔６５〕前記単一の応答のプリアンブルの長さが、前記複数のノードに関連する相対走査期間時間に基づく、〔６３〕に記載の装置。
〔６６〕前記第１のデューティサイクル、前記第２のデューティサイクル、または前記第３のデューティサイクルのうちの少なくとも１つが、ノードタイプに基づく、〔４５〕に記載の装置。
〔６７〕ワイヤレス通信のためのコンピュータプログラム製品であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うための、実行可能なコードを備えるコンピュータ可読媒体
を備えるコンピュータプログラム製品。
〔６８〕ワイヤレス通信のためのヘッドセットであって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うように構成された受信機と、
前記受信機によって受信されたデータに基づいてオーディオ出力を与えるように構成された変換器と
を備えるヘッドセット。
〔６９〕ワイヤレス通信のための時計であって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うように構成された受信機と、
前記受信機によって受信されたデータに基づいて指示を与えるように構成されたユーザインターフェースと
を備える時計。
〔７０〕ワイヤレス通信のための検知デバイスであって、
第１の動作状態の間に第１のデューティサイクルに応じてチャネルを走査することと、
第２の動作状態の間に第２のデューティサイクルに応じて前記チャネルを走査することであって、前記第２のデューティサイクルが前記第１のデューティサイクルよりも低い、走査することと、
第３の動作状態の間に第３のデューティサイクルに応じて前記チャネルを走査することであって、前記第３のデューティサイクルが前記第２のデューティサイクルよりも低い、走査することと
を行うように構成された受信機と、
前記第１の動作状態、前記第２の動作状態、または前記第３の動作状態のうちの少なくとも１つの間に送信すべきデータを与えるように構成されたセンサと
を備える検知デバイス。
〔７１〕ワイヤレス通信の方法であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間で前記チャネル上で送信することであって、前記第２のデューティサイクルが前記第１のデューティサイクルよりも低い、送信することと、
第３の動作状態の間に、第３のデューティサイクルに関連する走査タイミングに基づく時間で前記チャネル上で送信することであって、前記第３のデューティサイクルが前記第２のデューティサイクルよりも低い、送信することと
を備える方法。
〔７２〕前記第１の動作状態がアクティブ状態を備え、前記第２の動作状態が周期的状態を備え、前記第３の動作状態が待機状態を備える、〔７１〕に記載の方法。
〔７３〕前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
〔７１〕に記載の方法。
〔７４〕前記第１のデューティサイクルが連続走査に関連付けられた、〔７３〕に記載の方法。
〔７５〕前記第１のデューティサイクルが第３の時間間隔に応じた走査に関連付けられ、
前記第３の時間間隔が前記第１の時間間隔よりも短い
〔７３〕に記載の方法。
〔７６〕前記第１の動作状態の間の前記送信が送信パケットを備え、前記送信パケットの各々が、前記第３の時間間隔よりも長いプリアンブルを有する、〔７５〕に記載の方法。
〔７７〕第１のワイヤレスノードにおいて、第２のワイヤレスノードの走査タイミングに関するタイミング情報を受信することと、
前記受信したタイミング情報に基づいて前記第２の動作状態の前記送信時間を定義することと、
前記受信したタイミング情報に基づいて前記第３の動作状態の前記送信時間を定義することと
をさらに備える、〔７１〕に記載の方法。
〔７８〕第２のワイヤレスノードの動作状態の推定に基づいて、第１のワイヤレスノードにおいて前記第１の動作状態と前記第２の動作状態と前記第３の動作状態との間で遷移することをさらに備える、〔７１〕に記載の方法。
〔７９〕前記チャネル上の前記送信の１つに応答する応答信号がないか前記チャネルを走査することをさらに備える、〔７１〕に記載の方法。
〔８０〕第１のタイムアウト期間中に信号が送信されなかったか、または前記第１のタイムアウト期間中に信号は送信されたが、応答信号が受信されなかった場合、前記第１の動作状態から前記第２の動作状態に遷移することと、
第２のタイムアウト期間中に信号が送信されなかったか、または前記第２のタイムアウト期間中に信号は送信されたが、応答信号が受信されなかった場合、前記第２の動作状態から前記第３の動作状態に遷移することと
をさらに備える、〔７１〕に記載の方法。
〔８１〕各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
〔８０〕に記載の方法。
〔８２〕第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移することと、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移することと
をさらに備える、〔７１〕に記載の方法。
〔８３〕各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
〔８２〕に記載の方法。
〔８４〕前記第３の動作状態の間にページングメッセージを送信することと、
前記ページングメッセージに対する応答が受信された場合、前記第３の動作状態から前記第１の動作状態に遷移することと
をさらに備える、〔７１〕に記載の方法。
〔８５〕前記第２の動作状態の間に信号が送信され、応答信号が受信された場合、前記第２の動作状態から前記第１の動作状態に遷移することをさらに備える、〔７１〕に記載の方法。
〔８６〕前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
〔８５〕に記載の方法。
〔８７〕前記第２の動作状態に関連する周期的タイミングを前記第３の動作状態に関連する周期的タイミングと同期させることをさらに備える、〔７１〕に記載の方法。
〔８８〕前記第３の動作状態に関連する前記周期的タイミングと、前記第２の動作状態に関連する前記周期的タイミングとが、共通のタイミングオフセットに基づく、〔８７〕に記載の方法。
〔８９〕ページングメッセージを送信することと、
前記ページングメッセージに対する応答を受信することとをさらに備え、前記応答の前記受信のタイミングが、前記第２の動作状態、前記第３の動作状態、または前記第２および第３の動作状態のためのタイミング境界の指示を与える
〔７１〕に記載の方法。
〔９０〕ページングメッセージを送信することと、
前記ページングメッセージに対する応答を受信することとをさらに備え、前記応答が、前記第２の動作状態、前記第３の動作状態、または前記第２および第３の動作状態のためのタイミング境界の指示を含む
〔７１〕に記載の方法。
〔９１〕前記第１のデューティサイクル、前記第２のデューティサイクル、または前記第３のデューティサイクルのうちの少なくとも１つが、ノードタイプに基づく、〔７１〕に記載の方法。
〔９２〕ワイヤレス通信のための装置であって、
第１の動作状態と第２の動作状態と第３の動作状態との間の遷移を制御するように構成された状態コントローラと、
前記第１の動作状態の間の任意の時間にチャネル上で送信することであって、前記第１の動作状態が第１のデューティサイクルに関連する、送信することと、
前記第２の動作状態の間に、第２のデューティサイクルに関連する走査タイミングに基づく時間で前記チャネル上で送信することであって、前記第２のデューティサイクルが前記第１のデューティサイクルよりも低い、送信することと、
前記第３の動作状態の間に、第３のデューティサイクルに関連する走査タイミングに基づく時間で前記チャネル上で送信することであって、前記第３のデューティサイクルが前記第２のデューティサイクルよりも低い、送信することと
を行うように構成された送信機と、を備える装置。
〔９３〕前記第１の動作状態がアクティブ状態を備え、前記第２の動作状態が周期的状態を備え、前記第３の動作状態が待機状態を備える、〔９２〕に記載の装置。
〔９４〕前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
〔９２〕に記載の装置。
〔９５〕前記第１のデューティサイクルが連続走査に関連付けられた、〔９４〕に記載の装置。
〔９６〕前記第１のデューティサイクルが第３の時間間隔に応じた走査に関連付けられ、
前記第３の時間間隔が前記第１の時間間隔よりも短い
〔９４〕に記載の装置。
〔９７〕前記第１の動作状態の間の前記送信が送信パケットを備え、前記送信パケットの各々が、前記第３の時間間隔よりも長いプリアンブルを有する、〔９６〕に記載の装置。
〔９８〕第１のワイヤレスノードにおいて、第２のワイヤレスノードの走査タイミングに関するタイミング情報を受信するように構成された受信機と、
前記受信したタイミング情報に基づいて前記第２の動作状態の前記送信時間を定義するように構成され、前記受信したタイミング情報に基づいて前記第３の動作状態の前記送信時間を定義するようにさらに構成されたタイミングコントローラと
をさらに備える、〔９２〕に記載の装置。
〔９９〕前記状態コントローラが、第２のワイヤレスノードの動作状態の推定に基づいて、第１のワイヤレスノードにおいて前記第１の動作状態と前記第２の動作状態と前記第３の動作状態との間で遷移するようにさらに構成された、〔９２〕に記載の装置。
〔１００〕前記チャネル上の前記送信の１つに応答する応答信号がないか前記チャネルを走査するように構成された受信機をさらに備える、〔９２〕に記載の装置。
〔１０１〕前記状態コントローラが、
第１のタイムアウト期間中に信号が送信されなかったか、または前記第１のタイムアウト期間中に信号は送信されたが、応答信号が受信されなかった場合、前記第１の動作状態から前記第２の動作状態に遷移することと、
第２のタイムアウト期間中に信号が送信されなかったか、または前記第２のタイムアウト期間中に信号は送信されたが、応答信号が受信されなかった場合、前記第２の動作状態から前記第３の動作状態に遷移することと
を行うようにさらに構成された、〔９２〕に記載の装置。
〔１０２〕各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
〔１０１〕に記載の装置。
〔１０３〕前記状態コントローラが、
第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移することと、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移することと
を行うようにさらに構成された、〔９２〕に記載の装置。
〔１０４〕各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
〔１０３〕に記載の装置。
〔１０５〕前記送信機が、前記第３の動作状態の間にページングメッセージを送信するようにさらに構成され、
前記状態コントローラが、前記ページングメッセージに対する応答が受信された場合、前記第３の動作状態から前記第１の動作状態に遷移するようにさらに構成された
〔９２〕に記載の装置。
〔１０６〕前記状態コントローラが、前記第２の動作状態の間に信号が送信され、応答信号が受信された場合、前記第２の動作状態から前記第１の動作状態に遷移するようにさらに構成された、〔９２〕に記載の装置。
〔１０７〕前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
〔１０６〕に記載の装置。
〔１０８〕前記第２の動作状態に関連する周期的タイミングを前記第３の動作状態に関連する周期的タイミングと同期させるように構成されたタイミングコントローラをさらに備える、〔９２〕に記載の装置。
〔１０９〕前記第３の動作状態に関連する前記周期的タイミングと、前記第２の動作状態に関連する前記周期的タイミングとが、共通のタイミングオフセットに基づく、〔１０８〕に記載の装置。
〔１１０〕前記送信機がページングメッセージを送信するようにさらに構成され、
前記装置が、前記ページングメッセージに対する応答を受信するように構成された受信機をさらに備え、前記応答の前記受信のタイミングが、前記第２の動作状態、前記第３の動作状態、または前記第２および第３の動作状態のためのタイミング境界の指示を与える
〔９２〕に記載の装置。
〔１１１〕前記送信機がページングメッセージを送信するようにさらに構成され、
前記装置が、前記ページングメッセージに対する応答を受信するように構成された受信機をさらに備え、前記応答が、前記第２の動作状態、前記第３の動作状態、または前記第２および第３の動作状態のためのタイミング境界の指示を含む
〔９２〕に記載の装置。
〔１１２〕前記第１のデューティサイクル、前記第２のデューティサイクル、または前記第３のデューティサイクルのうちの少なくとも１つが、ノードタイプに基づく、〔９２〕に記載の装置。
〔１１３〕ワイヤレス通信のための装置であって、
第１の動作状態の間の任意の時間にチャネル上で送信するための手段であって、前記第１の動作状態が第１のデューティサイクルに関連する、送信するための手段と、
第２の動作状態の間に、第２のデューティサイクルに関連する走査タイミングに基づく時間で前記チャネル上で送信するための手段であって、前記第２のデューティサイクルが前記第１のデューティサイクルよりも低い、送信するための手段と、
第３の動作状態の間に、第３のデューティサイクルに関連する走査タイミングに基づく時間で前記チャネル上で送信するための手段であって、前記第３のデューティサイクルが前記第２のデューティサイクルよりも低い、送信するための手段と
を備える装置。
〔１１４〕前記第１の動作状態がアクティブ状態を備え、前記第２の動作状態が周期的状態を備え、前記第３の動作状態が待機状態を備える、〔１１３〕に記載の装置。
〔１１５〕前記第２の動作状態の間の前記送信が、前記第２のデューティサイクルに関連する前記走査タイミングと一致する時間に送信することを備え、
前記第３の動作状態の間の前記送信は、前記第３の動作状態の間の少なくとも１つの送信が前記第３のデューティサイクルに関連する前記走査タイミングと時間的に一致するように、十分に頻繁に送信することを備え、
前記第２のデューティサイクルに関連する前記走査タイミングが第１の時間間隔に基づき、
前記第３のデューティサイクルに関連する前記走査タイミングが第２の時間間隔に基づき、
前記第２の時間間隔が前記第１の時間間隔よりも長い
〔１１３〕に記載の装置。
〔１１６〕前記第１のデューティサイクルが連続走査に関連付けられた、〔１１５〕に記載の装置。
〔１１７〕前記第１のデューティサイクルが第３の時間間隔に応じた走査に関連付けられ、
前記第３の時間間隔が前記第１の時間間隔よりも短い
〔１１５〕に記載の装置。
〔１１８〕前記第１の動作状態の間の前記送信が送信パケットを備え、前記送信パケットの各々が、前記第３の時間間隔よりも長いプリアンブルを有する、〔１１７〕に記載の装置。
〔１１９〕第１のワイヤレスノードにおいて、第２のワイヤレスノードの走査タイミングに関するタイミング情報を受信するための手段と、
前記受信したタイミング情報に基づいて前記第２の動作状態の前記送信時間を定義するための手段と、
前記受信したタイミング情報に基づいて前記第３の動作状態の前記送信時間を定義するための手段と
をさらに備える、〔１１３〕に記載の装置。
〔１２０〕第２のワイヤレスノードの動作状態の推定に基づいて、第１のワイヤレスノードにおいて前記第１の動作状態と前記第２の動作状態と前記第３の動作状態との間で遷移するための手段をさらに備える、〔１１３〕に記載の装置。
〔１２１〕前記チャネル上の前記送信の１つに応答する応答信号がないか前記チャネルを走査するための手段をさらに備える、〔１１３〕に記載の装置。
〔１２２〕第１のタイムアウト期間中に信号が送信されなかったか、または前記第１のタイムアウト期間中に信号は送信されたが、応答信号が受信されなかった場合、前記第１の動作状態から前記第２の動作状態に遷移するための手段と、
第２のタイムアウト期間中に信号が送信されなかったか、または前記第２のタイムアウト期間中に信号は送信されたが、応答信号が受信されなかった場合、前記第２の動作状態から前記第３の動作状態に遷移するための手段と
をさらに備える、〔１１３〕に記載の装置。
〔１２３〕各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
〔１２２〕に記載の装置。
〔１２４〕第２のワイヤレスノードの連続チャネル走査の第１の定義された量に対応する第１の時間期間中に信号が送信されなかったか、または信号は送信されたが、第１のワイヤレスノードによって応答信号が受信されなかった場合、前記第１のワイヤレスノードにおいて前記第１の動作状態から前記第２の動作状態に遷移するための手段と、
前記第２のワイヤレスノードの連続チャネル走査の第２の定義された量に対応する第２の時間期間中に信号が送信されなかったか、または信号は送信されたが、前記第１のワイヤレスノードによって応答信号が受信されなかった場合、前記第１のワイヤレスノードにおいて前記第２の動作状態から前記第３の動作状態に遷移するための手段と
をさらに備える、〔１１３〕に記載の装置。
〔１２５〕各信号が、パケット、データパケット、ページングメッセージ、発見メッセージ、または制御メッセージを備え、
各応答信号が、ページングメッセージに対する応答、発見メッセージに対する応答、制御メッセージに対する応答、または肯定応答メッセージを備える
〔１２４〕に記載の装置。
〔１２６〕前記第３の動作状態の間にページングメッセージを送信するための手段と、
前記ページングメッセージに対する応答が受信された場合、前記第３の動作状態から前記第１の動作状態に遷移するための手段と
をさらに備える、〔１１３〕に記載の装置。
〔１２７〕前記第２の動作状態の間に信号が送信され、応答信号が受信された場合、前記第２の動作状態から前記第１の動作状態に遷移するための手段をさらに備える、〔１１３〕に記載の装置。
〔１２８〕前記信号が、パケット、データパケット、ページングメッセージ、発見メッセージ、または制御メッセージを備え、
前記応答信号が、ページングメッセージに対する応答、発見メッセージに対する応答、制御メッセージに対する応答、または肯定応答メッセージを備える
〔１２７〕に記載の装置。
〔１２９〕前記第２の動作状態に関連する周期的タイミングを前記第３の動作状態に関連する周期的タイミングと同期させるための手段をさらに備える、〔１１３〕に記載の装置。
〔１３０〕前記第３の動作状態に関連する前記周期的タイミングと、前記第２の動作状態に関連する前記周期的タイミングとが、共通のタイミングオフセットに基づく、〔１２９〕に記載の装置。
〔１３１〕ページングメッセージを送信するための手段と、
前記ページングメッセージに対する応答を受信するための手段とをさらに備え、前記応答の前記受信のタイミングが、前記第２の動作状態、前記第３の動作状態、または前記第２および第３の動作状態のためのタイミング境界の指示を与える
〔１１３〕に記載の装置。
〔１３２〕ページングメッセージを送信するための手段と、
前記ページングメッセージに対する応答を受信するための手段とをさらに備え、前記応答が、前記第２の動作状態、前記第３の動作状態、または前記第２および第３の動作状態のためのタイミング境界の指示を含む
〔１１３〕に記載の装置。
〔１３３〕前記第１のデューティサイクル、前記第２のデューティサイクル、または前記第３のデューティサイクルのうちの少なくとも１つが、ノードタイプに基づく、〔１１３〕に記載の装置。
〔１３４〕ワイヤレス通信のためのコンピュータプログラム製品であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間で前記チャネル上で送信することであって、前記第２のデューティサイクルが前記第１のデューティサイクルよりも低い、送信することと、
第３の動作状態の間に、第３のデューティサイクルに関連する走査タイミングに基づく時間で前記チャネル上で送信することであって、前記第３のデューティサイクルが前記第２のデューティサイクルよりも低い、送信することと
を行うための、実行可能なコードを備えるコンピュータ可読媒体
を備えるコンピュータプログラム製品。
〔１３５〕ワイヤレス通信のためのヘッドセットであって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間で前記チャネル上で送信することであって、前記第２のデューティサイクルが前記第１のデューティサイクルよりも低い、送信することと、
第３の動作状態の間に、第３のデューティサイクルに関連する走査タイミングに基づく時間で前記チャネル上で送信することであって、前記第３のデューティサイクルが前記第２のデューティサイクルよりも低い、送信することと
を行うように構成された送信機と、
前記第１の動作状態、前記第２の動作状態、または前記第３の動作状態のうちの少なくとも１つの間に受信されたデータに基づいてオーディオ出力を与えるように構成された変換器と
を備えるヘッドセット。
〔１３６〕ワイヤレス通信のための時計であって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間で前記チャネル上で送信することであって、前記第２のデューティサイクルが前記第１のデューティサイクルよりも低い、送信することと、
第３の動作状態の間に、第３のデューティサイクルに関連する走査タイミングに基づく時間で前記チャネル上で送信することであって、前記第３のデューティサイクルが前記第２のデューティサイクルよりも低い、送信することと
を行うように構成された送信機と、
前記第１の動作状態、前記第２の動作状態、または前記第３の動作状態のうちの少なくとも１つの間に受信されたデータに基づいて指示を与えるように構成されたユーザインターフェースと
を備える時計。
〔１３７〕ワイヤレス通信のための検知デバイスであって、
第１の動作状態の間の任意の時間にチャネル上で送信することであって、前記第１の動作状態が第１のデューティサイクルに関連する、送信することと、
第２の動作状態の間に、第２のデューティサイクルに関連する走査タイミングに基づく時間で前記チャネル上で送信することであって、前記第２のデューティサイクルが前記第１のデューティサイクルよりも低い、送信することと、
第３の動作状態の間に、第３のデューティサイクルに関連する走査タイミングに基づく時間で前記チャネル上で送信することであって、前記第３のデューティサイクルが前記第２のデューティサイクルよりも低い、送信することと
を行うように構成された送信機と、
前記送信機によって送信すべきデータを与えるように構成されたセンサと
を備える検知デバイス。
【国際調査報告】
2011519536.tif 000016
2011519536.tif 000017
2011519536.tif 000018